(57)【要約】      （修正有）【課題】電子チケットを購入した購入者が、当該電子チケットと他の電子チケットとの関連性や優位性などの特徴を視覚的に区別することが可能な情報処理端末、情報処理方法およびプログラムを提供する。【解決手段】少なくとも参加するイベントを特定する情報を含むイベント情報を格納した電子チケットに関する情報を取得して記憶する記憶工程と、記憶した電子チケットに関する情報に基づいて、表示部に電子チケットに関する情報を表示させる制御工程と、を含む。制御工程において、電子チケットと当該電子チケットとは異なる他の電子チケットとの関係性に応じた表示態様で前記電子チケットを表示部に表示させることをコンピュータに実行させる。【選択図】図１６
2018026077.tif 000002
【特許請求の範囲】
【請求項１】
少なくとも参加するイベントを特定する情報を含むイベント情報を格納した電子チケットに関する情報を取得して記憶する記憶工程と、
前記記憶した前記電子チケットに関する情報に基づいて、表示部に前記電子チケットを示す情報を表示させる制御工程と、を含み、
前記制御工程において、前記電子チケットと当該電子チケットとは異なる他の電子チケットとの関係性に応じた表示態様で前記電子チケットを前記表示部に表示させる
ことをコンピュータに実行させることを特徴とするプログラム。
【請求項２】
前記イベント情報は、イベントの属性に関する情報を更に含み、
前記制御工程において、前記電子チケットに対応するイベントの属性情報と他の電子チケットに対応するイベントの属性情報との関係性に応じた表示態様で前記電子チケットを前記表示部に表示させる
ことを特徴とする請求項１に記載のプログラム。
【請求項３】
前記イベント情報は、ユーザの前記電子チケットに関する履歴の情報と当該ユーザに関連する関連ユーザの前記電子チケットに関する履歴の情報を更に含み、
前記制御工程において、前記電子チケットに関する履歴の情報と前記関連ユーザの前記電子チケットに関する履歴の情報との関係性に応じた表示態様で前記電子チケットを前記表示部に表示させる
ことを特徴とする請求項１に記載のプログラム。
【請求項４】
前記記憶工程において、電子チケットに関する属性の情報を更に取得して記憶し、
前記制御工程において、前記電子チケットに関する属性の情報と他の電子チケットに関する属性の情報との関係性に応じた表示態様で前記電子チケットを前記表示部に表示させる
ことを特徴とする請求項１に記載のプログラム。
【請求項５】
前記制御工程において、前記関係性が高いほど前記他の電子チケットの表示態様に近い表示態様で前記電子チケットを前記表示部に表示させる
ことを特徴とする請求項１乃至４のいずれかに記載のプログラム。
【請求項６】
前記制御工程においては、前記関連性が低いほど前記他の電子チケットの表示態様と識別が容易な表示態様で前記電子チケットを前記表示部に表示させる
ことを特徴とする請求項１乃至４のいずれかに記載のプログラム。
【請求項７】
前記制御工程における表示態様の制御を行うか否かを判定する判定工程をさらに備え、
前記判定工程において、前記電子チケットに関する情報に基づいて前記電子チケットの表示態様を制御するか否かを判定し、
前記制御工程において、前記判定部において表示態様を制御すると判定された場合に、前記電子チケットと当該電子チケットとは異なる他の電子チケットとの関係性に応じた表示態様で前記電子チケットを前記表示部に表示させる
ことを特徴とする請求項１乃至６のいずれかに記載のプログラム。
【請求項８】
少なくとも参加するイベントを特定する情報を含むイベント情報を格納した電子チケットに関する情報を取得して記憶する記憶ステップと、
前記記憶した前記電子チケットに関する情報に基づいて、表示部に前記電子チケットを示す情報を表示させる制御ステップと、を含み、
前記制ステップにおいて、前記電子チケットと当該電子チケットとは異なる他の電子チケットとの関係性に応じた表示態様で前記電子チケットを前記表示部に表示させる
ことを特徴とする情報処理方法。
【請求項９】
少なくとも参加するイベントを特定する情報を含むイベント情報を格納した電子チケットに関する情報を取得して記憶する記憶部と、
前記記憶した前記電子チケットに関する情報に基づいて、表示部に前記電子チケットを示す情報を表示させる制御部と、を含み、
前記制御部は、前記電子チケットと当該電子チケットとは異なる他の電子チケットとの関係性に応じた表示態様で前記電子チケットを前記表示部に表示させる
ことを特徴とする情報処理端末。
【請求項１０】
一又は複数の処理手段と、記憶手段と、を備え、
当該記憶手段は少なくとも参加するイベントを特定する情報を含むイベント情報を格納した電子チケットに関する情報を記憶し、
前記一又は複数の処理手段は、記憶した前記電子チケットに関する情報に基づいて、前記電子チケットを示す情報を表示させるように制御し、
前記電子チケットと当該電子チケットとは異なる他の電子チケットとの関係性に応じた表示態様で前記電子チケットを表示させる
ことを特徴とするシステム。
【発明の詳細な説明】
【技術分野】
【０００１】
本発明は、電子チケットを販売するシステムに関するものである。
【背景技術】
【０００２】
所定のイベントに参加するためのチケットを、電子チケットとして、当該電子チケットを購入した購入者の端末に表示させる技術が存在する。特許文献１に記載の技術では、チケットデータをサーバから携帯型端末装置にダウンロードし、当該ダウンロードしたチケットデータに応じた画像を画面表示することが開示されている。
【先行技術文献】
【特許文献】
【０００３】
【特許文献１】特開２０１４−１４９５５６号公報
【発明の概要】
【発明が解決しようとする課題】
【０００４】
特許文献１に記載の技術では、ダウンロードしたチケットデータに応じた画像を画面表示することについて開示されているが、当該チケットデータをダウンロードした購入者の携帯型端末装置においてチケットの表示が変化することについては記載されていない。
そのため、電子チケットを購入した購入者は、当該電子チケットと他の電子チケットとの関係性や優位性などの特徴を視覚的に区別することが難しいという問題が生じる。
【０００５】
本発明は、上記問題に鑑みてなされたものであり、電子チケットを購入した購入者が、当該電子チケットと他の電子チケットとの関連性や優位性などの特徴を視覚的に区別することが可能な情報処理端末、情報処理方法およびプログラムを提供することを目的とする。
【課題を解決するための手段】
【０００６】
上記課題を解決するために、本発明の一態様に係るプログラムは、少なくとも参加するイベントを特定する情報を含むイベント情報を格納した電子チケットに関する情報を取得して記憶する記憶工程と、当該記憶した当該電子チケットに関する情報に基づいて、表示部に当該電子チケットを示す情報を表示させる制御工程と、を含み、当該制御工程において、当該電子チケットと当該電子チケットとは異なる他の電子チケットとの関係性に応じた表示態様で当該電子チケットを当該表示部に表示させることをコンピュータに実行させることを特徴とする。
【０００７】
上記構成により、本発明の一態様に係るプログラムは、一の電子チケットに関する情報に基づいて、当該一の電子チケットの表示態様を他の電子チケットの表示態様からへんこぅするため、ユーザは、当該一の電子チケットを、他の電子チケットから区別して認識することが可能となる。
【０００８】
本発明の一態様に係るプログラムにおいて、当該イベント情報は、イベントの属性に関する情報を更に含み、当該制御工程において、当該電子チケットに対応するイベントの属性情報と他の電子チケットに対応するイベントの属性情報との関係性に応じた表示態様で当該電子チケットを当該表示部に表示させることを特徴とする。
【０００９】
上記構成により、本発明の一態様に係るプログラムは、イベントの属性情報に基づいて電子チケットの表示態様を変更するため、ユーザは、イベントの属性情報に基づいて、当該イベントに対応する電子チケットを、他の電子チケットから区別して認識することが可能となる。
【００１０】
本発明の一態様に係るプログラムは、当該記憶工程において、電子チケットに関する属性の情報を更に取得して記憶し、当該制御工程において、当該電子チケットに関する属性の情報と他の電子チケットに関する属性の情報との関係性に応じた表示態様で当該電子チケットを当該表示部に表示させることを特徴とする。
【００１１】
上記構成により、本発明の一態様に係るプログラムは、関連ユーザが購入等を行った電子チケットに関する履歴に応じて、電子チケットの表示態様から変更するため、例えば友人（他のユーザ）が購入または購入しそうな電子チケットを、ユーザに対して認識させることが可能となる。
【００１２】
本発明の一態様に係るプログラムにおいて、当該制御工程において、当該関係性が高いほど当該他の電子チケットの表示態様に近い表示態様で当該電子チケットを当該表示部に表示させることを特徴とする。
【００１３】
上記構成により、本発明の一態様に係るプログラムは、電子チケットの価値などの属性に基づいて、当該電子チケットの表示態様を変更するため、例えばチケットの属性等をユーザに認識させることが可能になる。
【００１４】
本発明の一態様に係るプログラムにおいて、当該制御工程において、当該関係性が高いほど当該他の電子チケットの表示態様に近い表示態様で当該電子チケットを当該表示部に表示させることを特徴とする。
【００１５】
上記構成により、本発明の一態様に係るプログラムは、関連性の高い電子チケットどうしを近い表示態様で表示部に表示する、当該関連性の高い電子チケットをユーザに認識させることができる。
【００１６】
本発明の一態様に係るプログラムにおいて、当該関連性が低いほど当該他の電子チケットの表示態様と識別が容易な表示態様で当該電子チケットを当該表示部に表示させることを特徴とする。
【００１７】
上記構成により、本発明の一態様に係るプログラムは、関連性の低い電子チケットどうしを識別が容易な表示態様で表示部に表示させるため、当該関連性の低い電子チケットどうしを互いにユーザに認識させることができる。
【００１８】
本発明の一態様に係るプログラムにおいて、当該制御工程における表示態様の制御を行うか否かを判定する判定工程をさらに備え、当該判定工程において、当該電子チケットに関する情報に基づいて当該電子チケットの表示態様を制御するか否かを判定し、当該制御工程において、当該判定部において表示態様を制御すると判定された場合に、当該電子チケットと当該電子チケットとは異なる他の電子チケットとの関係性に応じた表示態様で当該電子チケットを当該表示部に表示させることを特徴とする。
【００１９】
上記構成により、本発明の一態様に係るプログラムは、一の電子チケットに関する情報に基づいて、当該一の電子チケットの表示態様を他の電子チケットの表示態様からへんこぅするため、ユーザは、当該一の電子チケットを、他の電子チケットから区別して認識することが可能となる。
【００２０】
本発明の一態様に係る情報処理方法は、当該制御部における表示態様の制御を行少なくとも参加するイベントを特定する情報を含むイベント情報を格納した電子チケットに関する情報を取得して記憶する記憶ステップと、当該記憶した当該電子チケットに関する情報に基づいて、表示部に当該電子チケットを示す情報を表示させる制御ステップと、を含み、当該制ステップにおいて、当該電子チケットと当該電子チケットとは異なる他の電子チケットとの関係性に応じた表示態様で当該電子チケットを当該表示部に表示させることを特徴とする。
【００２１】
本発明の一態様に係る情報処理端末は、少なくとも参加するイベントを特定する情報を含むイベント情報を格納した電子チケットに関する情報を取得して記憶する記憶部と、当該記憶した当該電子チケットに関する情報に基づいて、表示部に当該電子チケットを示す情報を表示させる制御部と、を含み、当該制御部は、当該電子チケットと当該電子チケットとは異なる他の電子チケットとの関係性に応じた表示態様で当該電子チケットを当該表示部に表示させることを特徴とする。
【００２２】
本発明の一態様に係るシステムは、一又は複数の処理手段と、記憶手段と、を備え、当該記憶手段は少なくとも参加するイベントを特定する情報を含むイベント情報を格納した電子チケットに関する情報を記憶し、当該一又は複数の処理手段は、記憶した当該電子チケットに関する情報に基づいて、当該電子チケットを示す情報を表示させるように制御し、当該電子チケットと当該電子チケットとは異なる他の電子チケットとの関係性に応じた表示態様で当該電子チケットを表示させることを特徴とする。
【発明の効果】
【００２３】
本発明によれば、複数の電子チケットを購入した購入者が、当該購入者の情報処理端末に表示された複数の電子チケットから、所定の電子チケットを区別することができる。
【図面の簡単な説明】
【００２４】
【図１】実施の形態に係る二次電子チケット販売システムのシステム構成を示すシステム図である。
【図２】実施の形態に係る二次電子チケットの機能構成例を示すブロック図である。
【図３】実施の形態に係る一次電子チケット販売装置の機能構成例を示すブロック図である。
【図４】実施の形態に係る認証装置の機能構成例を示すブロック図である。
【図５】実施の形態に係るユーザ端末の機能構成例を示すブロック図である。
【図６】一次電子チケット販売装置が保持する一次チケット情報のデータ構成例を示すデータ概念図である。
【図７】二次電子チケット販売装置が保持する二次チケット情報のデータ構成例を示すデータ概念図である。
【図８】認証装置が保持する認証情報のデータ構成例を示すデータ概念図である。
【図９】二次電子チケットの販売に係る各装置間のやり取りを示すシーケンス図である。
【図１０】電子チケットを利用したイベント会場の入場に係る認証に係るユーザ端末と認証装置間のやり取りを示すシーケンス図である。
【図１１】ユーザ端末の一次電子チケットの購入及び売却に係る動作を示すフローチャートである。
【図１２】ユーザ端末の二次電子チケットの購入に係る動作を示すフローチャートである。
【図１３】一次電子チケット販売装置の販売に係る動作を示すフローチャートである。
【図１４】二次電子チケット販売装置の販売に係る動作を示すフローチャートである。
【図１５】認証装置の認証に係る動作を示すフローチャートである。
【図１６】（ａ）ユーザ端末に表示される一次電子チケットの表示例である。（ｂ）ユーザ端末に表示される二次電子チケットの表示例である。
【図１７】（ａ）ユーザ端末に表示される二次電子チケットの表示例である。（ｂ）ユーザ端末に表示される二次電子チケットの表示例である。
【図１８】（ａ）ユーザ端末に表示される付帯情報の表示例である。（ｂ）ユーザ端末に表示される付帯情報の表示例である。
【図１９】ユーザ端末に表示される二次電子チケットの入場におけるもぎりの例を示す図である。
【図２０】ユーザ端末の一構成例を示すブロック図である。
【図２１】（ａ）ユーザ端末に表示される二次電子チケットの表示例である。（ｂ）複数の二次電子チケットを購入した場合の使用例を示す表示例である。
【図２２】（ａ）、（ｂ）は、二次電子チケットを購入する際のユーザ端末における表示画面例である。
【図２３】（ａ）、（ｂ）は、二次電子チケットを売却する際のユーザ端末における表示画面例である。
【図２４】二次電子チケットの表示例である。
【図２５】本発明の第２の実施形態におけるユーザ端末の動作例を示すフローチャートである。
【発明を実施するための形態】
【００２５】
＜第１の実施形態＞
＜構成＞
【００２６】
図１は、本発明の第１の実施形態に係る二次電子チケット販売システムの構成を示すシステム図である。
【００２７】
本願発明において一次電子チケットとは、再販売された電子チケット以外の電子チケットのことである。一次電子チケットは、例えば、イベントへの参加を希望するユーザが、イベントの主催者などから直接取得した電子チケットや当該イベントの主催者などから委託を受けた代理店や一次電子チケット販売サービスなどから直接取得した電子チケットなどである。
【００２８】
本願発明において二次電子チケットとは、上記一次電子チケットが再販売される電子チケットのことである。二次電子チケットは、例えば、イベントへの参加を希望するユーザが取得した一次電子チケットを、当該ユーザ自身が他のユーザに対して直接再販売する電子チケットや当該ユーザからの委託を受けて電子チケットを再販売する代理店や二次電子チケット販売サービスなどで再販売する電子チケットのことである。
【００２９】
図１に示すように、二次電子チケット販売システムは、二次電子チケット販売装置１００を含む。二次電子チケット販売装置１００は、一次電子チケット販売装置２００や、イベントにおいて電子チケットの認証を行う認証装置３００、電子チケットを購入又は売却するユーザ端末４００、４１０とネットワーク５００を介して通信を行って、二次電子チケットの販売を行う。二次電子チケットとは、イベント等に参加するための権利を示すチケットであって、一度、イベント等を開催する主催者からチケットの販売を委託された一次電子チケット販売装置２００から販売された一次電子チケットを購入したユーザが、イベントに参加できなくなったために、当該一次電子チケットを売却したものを、再度、他のユーザに販売する電子チケットである。また、一次電子チケットとは、イベント等の主催者あるいは主催者が委託した委託業者が最初に販売するイベントに参加するための電子チケットのことをいう。
【００３０】
二次電子チケット販売装置１００は、一次電子チケット販売装置２００が販売した一次電子チケットを購入したユーザ端末４００ａから、二次電子チケットとして販売される一次電子チケットの売却依頼を受け、当該一次電子チケットに係るイベントへの参加を希望する他のユーザのユーザ端末４００ｂに、二次電子チケットとして電子チケット販売する。当該販売は、イベント等の主催者からの許諾を得て行われる。
【００３１】
一次電子チケット販売装置２００は、イベント等の主催者から、イベントへの参加権である一次電子チケットの販売を行う。
【００３２】
認証装置３００は、イベント等の開場等に設けられるものであって、ユーザ端末が保持する一次電子チケット、あるいは、二次電子チケットの認証を行って、ユーザがイベントに参加できるか否かを判定する。
【００３３】
なお、本実施の形態においては、内容をわかりやすくするために、料金の支払いについて各装置からの他の装置に行う形で記載するが、実際には、対応する銀行等の口座間でのやり取りになる。また、図１に示したシステムにおいて、各装置間の通信は、他の装置、例えば、通信を中継する中継装置等を介在して行われることとしてもよい。以下、各装置の詳細について説明する。
【００３４】
図２は、二次電子チケット販売装置１００の一構成例を示すブロック図である。二次電子チケット販売装置１００は、例えば、ＰＣやサーバ装置などのコンピュータにより実現することができる。図２に示すように、二次電子チケット販売装置１００は、通信部１０１と、記憶部１０２と、制御部１０３とから構成される。
【００３５】
通信部１０１は、ネットワーク５００を介して、他の装置と通信を実行する機能を有する通信ユニットである。ここでいう他の装置は、一次電子チケット販売装置２００、認証装置３００、ユーザ端末４００ａ、４００ｂ等を含む。通信部１０１は、ネットワーク５００を介して、他の装置と通信が実行できれば、どのような通信規格で通信を実行してもよく、無線通信、有線通信のいずれで実行してもよい。通信部１０１は、ユーザ端末４００ａから受信する二次電子チケットとして販売される一次電子チケットの売却依頼や、ユーザ端末４００ｂから受け付ける二次電子チケットの購買依頼を、制御部１０３に伝達する。また、制御部１０３から伝達された二次電子チケットをユーザ端末４００ｂに送信したり、制御部１０３から伝達された一次電子チケットの無効化依頼を一次電子チケット販売装置２００に送信したり、二次電子チケットの登録依頼を認証装置３００に送信したりする。なお、二次電子チケットをユーザ端末４００ｂに送信することに換えて、二次電子チケットのダウンロード先のウェブサイトへのアクセスリンクを送信する構成としてもよい。いずれの場合においても、二次電子チケットに関する情報を送受信（送信又は受信）する構成になっていると言える。また、本明細書において、二次電子チケットの送受信や一次電子チケットの送受信は、より厳密にいえば、二次電子チケットに関する情報の送信又は受信、一次電子チケットに関する情報の送受又は受信になるが、簡略化のために、二次電子チケットの送信又は受信、一次電子チケットの送信又は受信という形で記載する。
【００３６】
記憶部１０２は、二次電子チケット販売装置１００が動作上必要とする各種プログラムやデータを記憶する機能を有する記録媒体である。記憶部１０２は、例えば、ＨＤＤ（Hard Disc Drive）、ＳＳＤ（Solid State Drive）、フラッシュメモリ等の記録媒体により実現できる。記憶部１０２は、二次電子チケットデータベース１１０を記憶する。二次電子チケットデータベース１１０は、一次電子チケットを購入した購入者と、二次電子チケットを購入した購入者との関連付けを行うデータベースである。二次電子チケットデータベース１１０の詳細については後述する。
【００３７】
制御部１０３は、二次電子チケット販売装置１００の各部を制御する機能を有するプロセッサである。制御部１０３は、記憶部１０２に記憶されているプログラムを実行して、二次電子チケットの販売処理を行う。制御部１０３は、二次電子チケットを販売するため、並びに、電子チケットの買い取りを受け付けるためのウェブサイト（以下、二次電子チケット販売サイト）を管理する。制御部１０３は、通信部１０１から、一次電子チケットの販売依頼を伝達された場合に、当該一次電子チケットに係るイベントについての二次電子チケットを販売する旨を販売サイトに掲示する。そして、一次電子チケットの情報（電子チケットＩＤ、二次電子チケットとして販売される一次電子チケットの売却依頼を行ったユーザ端末の機器ＩＤ、及びユーザ名）を、二次電子チケットデータベース１１０に登録する。また、制御部１０３は、通信部１０１から、二次電子チケットの購入依頼を伝達された場合に、当該購入依頼を行ったユーザ端末から二次電子チケットの代金の入金があると、一次電子チケット販売装置２００に、売却された二次電子チケットに対応する一次電子チケットの無効化依頼を通信部１０１に送信させ、認証装置３００に、二次電子チケットの登録依頼を通信部１０１に伝達する。また、二次電子チケットを購入したユーザ端末のＩＤ並びにユーザの情報を二次電子チケットデータベース１１０に登録する。そして、制御部１０３は、二次電子チケットの販売に係る利益から、販売した二次電子チケットに対応する一次電子チケットを売却したユーザ端末に売却利益を支払う。また、制御部１０３は、二次電子チケットの販売に係る利益から、一次電子チケット販売装置２００もしくはイベントの主催者に、利益の一部を支払う。また、制御部１０３は、二次電子チケットを販売する際に、二次電子チケットの表示情報を生成してもよい。二次電子チケットの表示情報は、オペレータが指定した絵柄に売却された一次電子チケットが対応するイベントに関する情報を埋め込む形で生成してもよいし、予め記憶部１０２に二次電子チケットの表示情報のテンプレートを記憶しておき、当該テンプレートに売却された一次電子チケットが対応するイベントに関する情報を埋め込んで生成することとしてもよい。また、ユーザ端末側で二次電子チケットの表示情報を生成する場合であって、テンプレートが複数ある場合には、制御部１０３は、どのテンプレートを使用するのかを二次電子チケットを購入したユーザ端末に、通信部１０１を介して指定することとしてもよい。
【００３８】
以上が二次電子チケット販売装置１００の構成である。
【００３９】
図３は、一次電子チケット販売装置２００の一構成例を示すブロック図である。一次電子チケット販売装置２００は、例えば、ＰＣやサーバ装置などのコンピュータにより実現することができる。図３に示すように、一次電子チケット販売装置２００は、通信部２０１と、記憶部２０２と、制御部２０３とから構成される。
【００４０】
通信部２０１は、ネットワーク５００を介して、他の装置と通信を実行する機能を有する通信ユニットである。ここでいう他の装置は、二次電子チケット販売装置１００、認証装置３００、ユーザ端末４００ａ、４００ｂ等を含む。通信部２０１は、ネットワーク５００を介して、他の装置と通信が実行できれば、どのような通信規格で通信を実行してもよく、無線通信、有線通信のいずれで実行してもよい。通信部２０１は、ユーザ端末４００ａから受信する一次電子チケットの購入依頼や、二次電子チケット販売装置１００から受信する一次電子チケットの無効化依頼を、制御部２０３に伝達する。また、制御部２０３から伝達された、一次電子チケットを当該一次電子チケットを購入したユーザ端末に送信したり、一次電子チケット情報（一次電子チケットＩＤ、購入したユーザ端末の機器ＩＤ、購入者情報）の登録依頼を認証装置３００に送信したり、一次電子チケットの削除依頼を認証装置３００に送信したりする。
【００４１】
記憶部２０２は、一次電子チケット販売装置２００が動作上必要とする各種プログラムやデータを記憶する機能を有する記録媒体である。記憶部２０２は、例えば、ＨＤＤ（Hard Disc Drive）、ＳＳＤ（Solid State Drive）、フラッシュメモリ等の記録媒体により実現できる。記憶部２０２は、一次電子チケットデータベース２１０を記憶する。一次電子チケットデータベース２１０は、一次電子チケットを購入した購入者と、当該購入者が購入に用いた機器のＩＤと、一次電子チケットが有効であるか否かの関連を示すデータベースである。一次電子チケットデータベース２１０の詳細については後述する。
【００４２】
制御部２０３は、一次電子チケット販売装置２００の各部を制御する機能を有するプロセッサである。制御部２０３は、記憶部２０２に記憶されているプログラムを実行して、一次電子チケットの販売処理を行う。制御部２０３は、一次電子チケットを販売するためのウェブサイト（以下、一次電子チケット販売サイト）を管理する。制御部２０３は、通信部２０１から、一次電子チケットの購入依頼を伝達された場合であって、当該購入依頼を行ったユーザ端末から一次電子チケットの代金の入金があると、一次電子チケットを購入したユーザ端末のＩＤ並びにユーザの情報を一次電子チケットデータベース２１０に登録する。また、制御部２０３は、通信部２０１から、一次電子チケットの無効化依頼を伝達されると、一次電子チケットデータベース２１０において、当該一次電子チケットのＩＤに対応する有効フラグを無効化する。そして、制御部２０３は、通信部２０１に、対応する一次電子チケットの削除依頼を認証装置３００に送信させる。
【００４３】
以上が、一次電子チケット販売装置２００の構成である。
【００４４】
図４は、認証装置３００の一構成例を示すブロック図である。認証装置３００は、例えば、ＰＣやサーバ装置などのコンピュータにより実現することができる。図４に示すように、認証装置３００は、通信部３０１と、記憶部３０２と、報知部３０３と、制御部３０４とから構成される。
【００４５】
通信部３０１は、ネットワーク５００を介して、他の装置と通信を実行する機能を有する通信ユニットである。ここでいう他の装置は、二次電子チケット販売装置１００、一次電子チケット販売装置２００、ユーザ端末４００ａ、４００ｂを含む。通信部３０１は、ネットワーク５００を介して、他の装置と通信が実行できれば、どのような通信規格で通信を実行してもよく、無線通信、有線通信のいずれで実行してもよい。通信部３０１は、一次電子チケット販売装置２００から送信された一次電子チケット情報（一次電子チケットＩＤと、購入者情報と、購入したユーザ端末ＩＤ）や、一次電子チケット販売装置２００から送信された一次電子チケットの削除依頼や、二次電子チケット販売装置１００から送信された二次電子チケット情報（電子チケットＩＤと、購入者情報と、購入したユーザ端末ＩＤ）などを受信して、制御部３０４に伝達する。また、通信部３０１は、イベント時に、ユーザ端末から、電子チケットＩＤと、機器ＩＤと、ユーザ名とを含む認証依頼を受信して、制御部３０４に伝達する。
【００４６】
記憶部３０２は、認証装置３００が動作上必要とする各種プログラムやデータを記憶する機能を有する記録媒体である。記憶部３０２は、例えば、ＨＤＤ（Hard Disc Drive）、ＳＳＤ（Solid State Drive）、フラッシュメモリ等の記録媒体により実現できる。記憶部３０２は、認証情報３１０を記憶する。認証情報３１０は、電子チケットＩＤと、権利を有する機器ＩＤと、ユーザ名とが対応付けられた情報である。認証情報３１０の詳細については、後述する。
【００４７】
報知部３０３は、制御部３０４からの指示に従って、認証の結果を報知する機能を有する。報知部３０３は、認証の結果に応じて、認証成功または認証失敗と報知するものであり、認証に成功すればイベントに参加する正当な権利を有することを意味する。報知部３０３は、例えば、イベント会場等に設置された文字により認証結果を報知するモニタや、音声により認証結果を報知するスピーカや、認証成功の場合に緑に点灯し、認証失敗の場合に赤に点灯するランプ等により実現できる。
【００４８】
制御部３０４は、認証装置３００の各部を制御する機能を有するプロセッサである。制御部３０４は、記憶部３０２に記憶されているプログラムを実行して、電子チケットの認証処理を行う。制御部３０４は、通信部４０１から、一次電子チケット販売装置２００からの一次電子チケット情報を受け取ると、一次電子チケット情報に含まれる電子チケットＩＤと、機器ＩＤと、購入者情報とを、記憶部３０２の認証情報３１０に記録する。また、制御部３０４は、通信部４０１から、一次電子チケット販売装置２００からの一次電子チケット削除指示を受け取ると、一次電子チケット削除指示に含まれる電子チケットＩＤに対応する機器ＩＤと、購入者情報とを、認証情報３１０から削除する。また、制御部３０４は、通信部４０１から、二次電子チケット販売装置１００からの二次電子チケット情報を受け取ると、二次電子チケット情報に含まれる機器ＩＤと、購入者情報とを、二次電子チケット情報に含まれる電子チケットＩＤに対応するように、認証情報３１０に登録する。また、制御部３０４は、通信部４０１から、ユーザ端末４００からの認証依頼を受け取ると、当該認証依頼に含まれる電子チケットＩＤと、機器ＩＤと、ユーザ名との組み合わせが認証情報３１０に登録されているか否かを判定する。登録されている場合には、制御部３０４は、報知部３０３に認証成功を報知させ、登録されていなかった場合には、制御部３０４は、報知部３０３に認証失敗を報知させる。
【００４９】
以上が、認証装置３００の構成である。
【００５０】
図５は、ユーザ端末４００ａ、４００ｂの一構成例を示すブロック図である。双方共に基本的な構成に差異はないので、ここでは、まとめて、ユーザ端末４００として説明する。ユーザ端末４００は、購入した二次電子チケットを表示する電子チケット表示装置として機能する。ユーザ端末４００は、例えば、携帯電話、スマートフォンなどに代表される各種携帯端末により実現できる。図５に示すように、ユーザ端末４００は、通信部４０１と、入力受付部４０２と、表示部４０３と、記憶部４０４と、制御部４０５とから構成される。
【００５１】
通信部４０１は、ネットワーク５００を介して、他の装置と通信を実行する機能を有する通信ユニットである。ここでいう他の装置は、二次電子チケット販売装置１００、一次電子チケット販売装置２００、認証装置３００を含む。通信部３０１は、ネットワーク５００を介して、他の装置と通信が実行できれば、どのような通信規格で通信を実行してもよく、無線通信、有線通信のいずれで実行してもよい。通信部４０１は、制御部４０５からの指示に従って、ネットワーク５００を介して、一次電子チケット販売装置２００が提供する一次電子チケット販売サイトや、二次電子チケット販売装置１００が提供する二次電子チケット販売サイトにアクセスする。そして、アクセスして得たサイトの表示情報を制御部４０５に伝達する。また、通信部４０１は、一次電子チケット販売装置２００から購入した一次電子チケットを受信して、制御部４０５に伝達したり、二次電子チケット販売装置１００から購入した二次電子チケットを購入して制御部４０５に伝達したりする。また、一次電子チケットの販売を二次電子チケット販売装置１００に依頼している場合であって、当該一次電子チケットを他のユーザが購入したときには、二次電子チケット販売装置１００から一次電子チケットの売却報告を受信して、制御部４０５に伝達する。
【００５２】
また、通信部４０１は、制御部４０５からの指示に従って、一次電子チケット販売装置２００に、一次電子チケットの購入依頼を送信したり、二次電子チケット販売装置１００に、二次電子チケットとして販売される一次電子チケットの売却依頼を送信したり、二次電子チケットの購入依頼を送信したりする。また、通信部４０１は、イベント会場等において、電子チケットが切られた場合に、制御部４０５からの指示に従って、当該電子チケットのＩＤと、自機の機器ＩＤと、ユーザ端末を有するユーザのユーザ名とを含む認証依頼を認証装置３００に送信する。
【００５３】
入力受付部４０２は、ユーザ端末４００を保持するユーザからの入力を受け付ける機能を有する入力機器である。入力受付部４０２は、例えば、ユーザ端末に備えられたタッチパネルやタッチパッド等を利用したソフトキーやハードウェアキーにより実現できる。入力受付部４０２は、受け付けた入力内容を制御部４０５に伝達する。ここでは、入力受付部４０２は、一次電子チケットの購入指示や、一次電子チケットの売却指示、二次電子チケットの購入指示、表示されている電子チケットを切る入力指示などを受け付ける。
【００５４】
表示部４０３は、制御部４０５から指示された表示情報を表示する機能を有するモニタである。表示部４０３は、例えば、ＬＥＤディスプレイ、ＬＣＤ（Liquid Crystal Display）、プラズマディスプレイ、タッチパネルなどにより実現される。表示部４０３は、一次電子チケット販売サイトや二次電子チケット販売サイトに係る表示情報を表示したり、購入した一次電子チケットあるいは二次電子チケットを表示したりする。表示部４０３は、入力受付部４０２と併せてタッチパネルにより実現されてもよい。
【００５５】
記憶部４０４は、ユーザ端末４００が動作上必要とする各種プログラムやデータを記憶する機能を有する記録媒体である。記憶部４０４は、例えば、ＨＤＤ（Hard Disc Drive）、ＳＳＤ（Solid State Drive）、フラッシュメモリ等の記録媒体により実現できる。記憶部４０４は、購入した電子チケットの電子チケットＩＤと、自機の機器ＩＤと、自機を保持するユーザのユーザ名を記憶する。また、記憶部４０４は、購入した電子チケットの表示情報を記憶する。
【００５６】
制御部４０５は、ユーザ端末４００の各部を制御する機能を有するプロセッサである。制御部４０５は、記憶部４０４に記憶されているプログラムを実行して、電子チケットの購入依頼、売買依頼、表示処理、認証依頼を行う。制御部４０５は、入力受付部４０２から受け付けた入力指示に従って、通信部４０１を介して、一次電子チケット販売サイトや二次電子チケット販売サイトにアクセスして、当該サイトに係る情報を表示部４０３に表示させる。また、制御部４０５は、入力受付部４０２から受け付けたユーザ入力に従って、一次電子チケットの購入依頼を生成して、通信部４０１を介して、一次電子チケット販売装置２００に送信する。また、制御部４０５は、入力受付部４０２から受け付けたユーザ入力に従って、二次電子チケットとして販売される一次電子チケットの売却依頼を生成して、通信部４０１を介して、二次電子チケット販売装置１００に送信する。また、制御部４０５は、入力受付部４０２から受け付けたユーザ入力に従って、二次電子チケットの購入依頼を生成して、通信部４０１を介して、二次電子チケット販売装置１００に送信する。また、制御部４０５は、入力受付部４０２から受け付けたユーザ入力に従って、イベント会場等において購入した電子チケットを記憶部４０４から読み出して、表示部４０３に表示させる。そして、イベント会場のスタッフにより表示された電子チケットが切られた場合に、切られた電子チケットの電子チケットＩＤ、自機の機器ＩＤ、自機のユーザのユーザ名を含む認証依頼を生成して、通信部４０１を介して、認証装置３００に送信する。また、制御部４０５は、購入した一次電子チケットや一次電子チケットとは表示態様を異にした二次電子チケットを表示部４０３に表示させる。制御部４０５は、二次電子チケット販売装置１００から受け取った二次電子チケットを表示部４０３に表示させることとしてもよいし、制御部４０５が生成した二次電子チケット表示情報を表示部４０３に表示させることとしてもよい。制御部４０５が二次電子チケット表示情報を生成する場合には、記憶部４０４に予め二次電子チケット表示情報のテンプレートを記憶しておき、当該テンプレートに購入した二次電子チケットに関する情報（例えば、イベントの開催日時やチケットＩＤなど）を埋め込んで生成することにより実現できる。記憶部４０４は、テンプレートを複数記憶しておき、二次電子チケット販売装置１００は、どのテンプレートを使用するかを指定できてもよい。
【００５７】
以上が、ユーザ端末４００の構成である。
【００５８】
＜データ＞
ここから、本実施の形態に係る二次電子チケット販売システムにおいて用いられる各種データについて説明する。
【００５９】
図６は、一次電子チケット販売装置２００が保持する一次電子チケットデータベース２１０のデータ構成例を示すデータ概念図である。図６に示すように、一次電子チケットデータベース２１０は、一次電子チケットＩＤ２１１と、購入機器ＩＤ２１２と、購入者名２１３と、有効フラグ２１４とが対応付けられて構成されている。
【００６０】
一次電子チケットＩＤ２１１は、イベントに参加する権利である一次電子チケットを識別するための識別情報である。
【００６１】
購入機器ＩＤ２１２は、対応する一次電子チケットを購入したユーザのユーザ端末を特定するための識別情報である。購入機器ＩＤ２１２としては、例えば、ユーザ端末の固有製造番号や、ＭＡＣアドレスなどを用いてもよい。
【００６２】
購入者名２１３は、対応する一次電子チケットを購入したユーザの名前を示す情報であり、ユーザ端末に登録されているユーザ名を用いて登録された情報である。
【００６３】
有効フラグ２１４は、対応する一次電子チケットが有効か無効かを示す情報である。ここでは、「１」の場合に有効であり、「０」の場合に無効であるとしているが、有効か無効かを区別できればその他の形態をとってもよい。有効フラグ２１４は、一次電子チケットを購入したユーザが、当該一次電子チケットの売却を二次電子チケット販売装置１００に依頼し、他のユーザがその一次電子チケットに対応する二次電子チケットを購入すると、無効になる。
【００６４】
なお、有効フラグは、一次電子チケットが有効か無効かを区別できれば、どのような形態をとってもよい。例えば、有効フラグは、有効の場合に「１」を、無効の場合に「２」を、一時停止の場合に「３」を設定する形態であってもよい。
【００６５】
図７は、二次電子チケット販売装置１００が保持する二次電子チケットデータベース１１０のデータ構成例を示すデータ概念図である。図７に示すように、二次電子チケットデータベース１１０は、二次電子チケットＩＤ１１１と、売却機器ＩＤ１１２と、一次購入者名１１３と、購入機器ＩＤ１１４と、二次購入者名１１５とが対応付けられて構成されている。
【００６６】
二次電子チケットＩＤは、イベントに参加する権利である二次電子チケットを識別するための識別情報である、当該二次電子チケットＩＤは、一次電子チケットの売却が依頼されると、二次電子チケット販売装置１００の制御部１０３により生成されるものである。ここでは、わかりやすくするために、一次電子チケットと同じＩＤを用いるものとするが、別のＩＤを用いてもよい。その場合には、二次電子チケットデータベース１１０には、更に、一次電子チケットの電子チケットＩＤの情報も対応付ける。
【００６７】
売却機器ＩＤ１１２は、対応する二次電子チケットの元となる一次電子チケットを売却したユーザ端末を識別するための識別情報である。
【００６８】
一次購入者名１１３は、対応する二次電子チケットを売却したユーザの名前の情報である。一次購入者名１１３は、対応する売却機器ＩＤ１１２で示されるユーザ端末に記憶されているユーザ名に基づいて登録される。
【００６９】
購入機器ＩＤ１１４は、対応する二次電子チケットを購入したユーザのユーザ端末を識別するための識別情報である。
【００７０】
二次購入者名１１５は、対応する二次電子チケット購入したユーザの名前の情報である。二次購入者名１１５は、対応する購入機器ＩＤ１１４で示されるユーザ端末に記憶されているユーザ名に基づいて登録される。
【００７１】
二次電子チケットは、売却依頼がされた一次電子チケットの数だけ生成される。ただし、二次電子チケットが売れなかった場合には、元の一次電子チケットが有効となったままになる。
【００７２】
図８は、認証装置３００が保持する認証情報３１０のデータ構成例を示すデータ概念図である。図８に示すように、認証情報３１０は、チケットＩＤ３１１と、有効機器ＩＤ３１２と、権利者名３１３とが対応付けられた情報である。
【００７３】
チケットＩＤ３１１は、イベントに参加可能な電子チケットを識別する識別情報である。チケットＩＤ３１１の一つ一つは、一次電子チケットまたは二次電子チケットのいずれかのＩＤである。
【００７４】
有効機器ＩＤ３１２は、対応する電子チケットを保持しているはずのユーザ端末を識別するための識別情報である。
【００７５】
権利者名３１３は、対応する電子チケットを保持しているはずのユーザ端末を保持するユーザの名前を示す情報である。
【００７６】
当該情報を保持していることにより、認証装置３００は、イベントの際の認証を行って、電子チケットの正当性を判断することができる。
【００７７】
＜動作＞
本実施の形態に係る二次電子チケット販売システムの動作を説明する。
【００７８】
図９は、ユーザ端末４００ａが一次電子チケットを購入し、これを売却して、ユーザ端末４００ｂが二次電子チケットとして購入するまでの流れを示すシーケンス図である。
【００７９】
ユーザ端末４００ａは、イベント等の開催の告知がされている一次電子チケット販売装置２００が提供する一次電子チケット販売サイトにアクセスして、ユーザに情報を提供する。ユーザは一次電子チケット販売サイトを見て、参加したいイベントがある場合に、チケットの購入を入力する。すると、ユーザ端末４００ａは、一次電子チケットの購入依頼を一次電子チケット販売装置２００に送信する（ステップＳ９０１）。当該一次電子チケットの購入依頼には、どのイベントのチケットかを指定する一次電子チケットの指定情報、ユーザ端末４００ａの機器ＩＤ並びにユーザ名が含まれる。
【００８０】
そして、ユーザ端末４００ａは、一次電子チケット販売装置２００に対して、購入した一次電子チケットの料金の支払いを行う（ステップＳ９０２）。
【００８１】
すると、一次電子チケット販売装置２００は、一次電子チケットの購入依頼に含まれている機器ＩＤと、ユーザ名と、購入された一次電子チケットのチケットＩＤとを含む情報登録依頼を認証装置３００に送信する（ステップＳ９０３）。
【００８２】
これを受けて、認証装置３００は、受信した情報を認証情報に登録する（ステップＳ９０４）。
【００８３】
一次電子チケット販売装置２００は、ユーザ端末４００ａから一次電子チケットの料金を受領すると、購入された一次電子チケットの情報を配布（送信）する（ステップＳ９０５）。
【００８４】
ユーザ端末４００ａのユーザＡは、イベントに参加するための一次電子チケットを購入したものの何らかの事情によりイベントに参加できなくなったとする。すると、ユーザＡは、ユーザ端末４００ａを用いて、二次電子チケット販売装置１００が提供する二次電子チケット販売サイトにアクセスし、保持している二次電子チケットとして販売される一次電子チケットの売却依頼を行う（ステップＳ９０６）。当該売却依頼には、ユーザ端末４００ａが保持している一次電子チケットのチケットＩＤ、ユーザ端末４００ａの機器ＩＤ、ユーザ端末４００ａが保持するユーザ名が含まれる。
【００８５】
二次電子チケット販売装置１００は、二次電子チケットとして販売される一次電子チケットの売却依頼を受けて、当該一次電子チケットに対応する二次電子チケットを生成するとともに、二次電子チケットの販売告知情報を、提供している二次電子チケット販売サイトに公開する。
【００８６】
一方、ユーザＡが売却依頼した一次電子チケットに対応するイベントに参加したいと思いつつも、チケットの購入を逃したユーザ端末４００ｂのユーザＢは、ユーザ端末４００ｂを用いて、二次電子チケット販売サイト１００が提供する二次電子チケット販売サイトにアクセスする。そして、所望のイベントの二次電子チケットが販売されていることを発見する。
【００８７】
すると、ユーザＢは、ユーザ端末４００ｂを用いて、二次電子チケット販売装置１００に対して、二次電子チケットの購入依頼を行う（ステップＳ９０７）。当該二次電子チケットの購入依頼には、どのイベントのチケットかを指定する二次電子チケットの指定情報、ユーザ端末４００ｂの機器ＩＤ、ユーザ端末４００ｂに保持されているユーザ名が含まれる。
【００８８】
そして、ユーザ端末４００ｂは、二次電子チケット販売装置１００に対して、二次電子チケットの料金を支払う（ステップＳ９０８）。
【００８９】
料金の支払いを受け付けた二次電子チケット販売装置１００は、購入された二次電子チケットの二次電子チケット販売サイトにおける公開を停止する。そして、二次電子チケット販売装置１００は、購入された二次電子チケットに対応する一次電子チケットの無効化依頼を一次電子チケット販売装置２００に依頼する（ステップＳ９０９）。当該無効化依頼には、無効化する一次電子チケットのチケットＩＤが含まれる。
【００９０】
無効化依頼を受け付けた一次電子チケット販売装置２００は、当該無効化依頼に含まれるチケットＩＤに対応する一次電子チケットを無効化する。そして、一次電子チケット販売装置２００は、一次電子チケットの情報の削除依頼を、認証装置３００に対して行う（ステップＳ９１０）。当該削除依頼には、情報を削除する一次電子チケットのチケットＩＤが含まれる。
【００９１】
削除依頼を受け付けた認証装置３００は、削除依頼に含まれるチケットＩＤに対応する情報を認証情報３１０から削除する（ステップＳ９１１）。
【００９２】
一方、二次電子チケット販売装置１００は、一次電子チケットの無効化依頼を行うと、二次電子チケットを購入したユーザに係る情報の登録依頼を認証装置３００に対して行う（ステップＳ９１２）。当該登録依頼には、二次電子チケットのチケットＩＤ、ユーザ端末４００ｂの機器ＩＤ、ユーザ端末４００ｂに記憶されていたユーザＢのユーザ名が含まれる。内容をわかりやすくするために二次電子チケットのチケットＩＤは、一次電子チケットＩＤと同じＩＤであるとする。
【００９３】
情報登録依頼を受け付けた認証装置３００は、当該情報登録依頼に含まれるチケットＩＤに対応付けて、ユーザ端末４００ｂの機器ＩＤとユーザ名とを認証情報３１０に登録する（ステップＳ９１３）。
【００９４】
二次電子チケット販売装置１００は、ユーザ端末４００ｂに対して、二次電子チケットを配布（送信）する（ステップＳ９１４）。
【００９５】
そして、二次電子チケット販売装置１００は、ユーザ端末４００ａに対して、一次電子チケットを売却したことを通知するとともに、売却料金を支払う（ステップＳ９１５）。
【００９６】
そして、二次電子チケット販売装置１００は、一次電子チケット販売装置２００に対して売上金の一部を、支払う（ステップＳ９１６）。
【００９７】
これが、二次電子チケット販売システムにおける、二次電子チケットが売却される流れである。
【００９８】
図１０は、イベント会場において、ユーザ端末と、認証装置３００との間のやり取りを示すシーケンス図である。当該やり取りは、一次電子チケットと、二次電子チケットとの場合で、共通する。
【００９９】
ユーザ端末４００を保持するユーザは、イベントのフロントで、イベントスタッフに、ユーザ端末４００に記憶されている電子チケットを提示する（ステップＳ１００１）。
【０１００】
提示された電子チケットを見たイベントスタッフは、もぎり処理、すなわち、ユーザ端末４００に表示された電子チケットからチケットを切りとる操作を行う（ステップＳ１００２）。
【０１０１】
すると、ユーザ端末４００は、切り取られた電子チケットのチケットＩＤと、ユーザ端末４００の機器ＩＤと、ユーザ端末４００に保持されているユーザ名とを含む認証依頼を認証装置３００に送信する（ステップＳ１００３）。
【０１０２】
認証装置３００は、受信した認証依頼に含まれる各情報と、保持している認証情報３１０とを用いて、認証を行う（ステップＳ１００４）。
【０１０３】
そして、認証装置３００は、認証結果を報知する（ステップＳ１００５）。認証に成功した場合には、ユーザ端末４００のユーザはイベントに参加でき、認証に失敗した場合には、ユーザ端末４００のユーザはイベントに参加できない。
【０１０４】
以下、本実施の形態に係る二次電子チケット販売システムに係る各装置の動作について説明する。
【０１０５】
図１１は、一次電子チケットを購入し、二次電子チケット販売システムに当該一次電子チケットを売却するユーザ端末４００（図９におけるユーザ端末４００ａ）の動作を示すフローチャートである。
【０１０６】
図１１に示すように、ユーザ端末４００は、一次電子チケット販売装置２００が提供する一次電子チケット販売サイトにアクセスする（ステップＳ１１０１）。ユーザ端末４００は、入力受付部４０２から入力されたユーザのアクセス指示を受けた制御部４０５は、通信部４０１を介して、一次電子チケット販売サイトにアクセスする。そして、制御部４０５は、表示部４０３に一次電子チケット販売サイトを表示させる。
【０１０７】
一次電子チケット販売サイトを閲覧したユーザは、イベントに参加するための、一次電子チケットの購入入力を入力受付部４０２に対して行う。購入入力を受け付けると、入力受付部４０２は、制御部４０５にその旨を伝達する。制御部４０５は、購入したい一次電子チケットを特定するイベントを指定する情報、ユーザ端末４００の機器ＩＤ、ユーザ端末４００が保持するユーザ名を含む購入依頼を生成し、通信部４０１を介して、一次電子チケット販売装置２００に送信する（ステップＳ１１０２）。
【０１０８】
そして、ユーザ端末４００の制御部４０５は、一次電子チケット販売装置２００に一次電子チケットの料金の支払いを行う（ステップＳ１１０３）。
【０１０９】
ユーザ端末４００は、一次電子チケット販売装置２００から一次電子チケットを受領する（ステップＳ１１０４）。通信部４０１は、一次電子チケット販売装置２００から送信された一次電子チケットの情報を、ネットワーク５００を介して、受信する。通信部４０１は、受信した一次電子チケットの情報を制御部４０５に伝達する。制御部４０５は、伝達された一次電子チケットの情報を記憶部４０４に記憶する。
【０１１０】
一次電子チケットを購入したユーザが一次電子チケットに係るイベントに参加できなくなった場合に、ユーザは、ユーザ端末４００を用いて、二次電子チケット販売装置１００が提供する二次電子チケット販売サイトにアクセスする（ステップＳ１１０５）。制御部４０５は、入力受付部４０２を介して受け付けたユーザからの二次電子チケット販売サイトへのアクセス指示に従って、通信部４０１を介して、二次電子チケット販売サイトにアクセスする。
【０１１１】
一次電子チケットを購入したユーザはユーザ端末４００を用いて、二次電子チケット販売装置１００に対して、一次電子チケットの売却を依頼する（ステップＳ１１０６）。入力受付部４０２は、ユーザから、購入してある二次電子チケットとして販売される一次電子チケットの売却依頼を受け付ける。入力受付部４０２は、入力内容を制御部４０５に伝達する。そして、制御部４０５は、受け付けた売却依頼に従って、通信部４０１を介して、二次電子チケット販売装置１００に、記憶部４０４に記憶されている一次電子チケットのチケットＩＤ、ユーザ端末４００の機器ＩＤ、ユーザ端末４００のユーザ名を含む、二次電子チケットとして販売される一次電子チケットの売却依頼を送信する。
【０１１２】
これに応じて、一次電子チケットが二次電子チケットとして売却された場合には（ステップＳ１１０７のＹＥＳ）、ユーザ端末４００は、売却報告を二次電子チケット販売装置１００から受信する。通信部４０１は、二次電子チケット販売装置１００から送信された一次電子チケットの売却報告と、その売却料金とを受信し（ステップＳ１１０８）、制御部４０５に伝達する。そして、制御部４０５は、売却報告を表示部４０３に表示させて終了する。
【０１１３】
一方、一次電子チケットの売却が成立しないまま（ステップＳ１１０７のＮＯ）、イベント期日になった場合には（ステップＳ１１０９のＹＥＳ）、処理を終了する。イベント期日が来るまでは（ステップＳ１１０９のＮＯ）、一次電子チケットの売却報告を受領するまで待機する。
【０１１４】
以上が、一次電子チケットを購入し、販売するユーザ端末の動作である。次に、二次電子チケットを購入するユーザ端末４００（図９のユーザ端末４００ｂ）の動作について説明する。
【０１１５】
イベントに参加したいと思いつつ、一次電子チケットを購入できなかったユーザは、ユーザ端末４００を用いて、二次電子チケット販売装置１００が提供する二次電子チケット販売サイトにアクセスする（ステップＳ１２０１）。入力受付部４０２は、ユーザから二次電子チケット販売サイトへのアクセスの指示入力を受け付け、制御部４０５に伝達する。制御部４０５は、通信部４０１を介して、二次電子チケット販売サイトにアクセスする。そして、制御部４０５は、二次電子チケット販売サイトの情報を表示部４０３に表示させる。
【０１１６】
二次電子チケット販売サイトを閲覧して、所望の二次電子チケットが販売されていることを発見したユーザは、ユーザ端末４００を用いて二次電子チケットの購入を依頼する（ステップＳ１２０２）。二次電子チケットの購入依頼を受け付けた入力受付部４０２は、制御部４０５にその旨を伝達する。制御部４０５はこれを受けて購入したい二次電子チケットを指定する情報、ユーザ端末４００の機器ＩＤ、ユーザ端末４００が保持するユーザ名を含む購入依頼を生成し、通信部４０１を介して、二次電子チケット販売装置１００に送信する。
【０１１７】
そして、制御部４０５は、購入した二次電子チケットの料金を、通信部４０１を介して、二次電子チケット販売装置１００に送信する（ステップＳ１２０３）。
【０１１８】
これに応じて、二次電子チケット販売装置１００は、二次電子チケットをユーザ端末４００に送信し、通信部４０１は、二次電子チケットを受信する（ステップＳ１２０４）。二次電子チケットを受信した通信部４０１はこれを制御部４０５に伝達する。制御部４０５は、伝達された二次電子チケットを記憶部４０４に記憶して終了する。
【０１１９】
以上が、二次電子チケットを購入するユーザ端末の動作である。次に、一次電子チケット販売装置２００の動作について説明する。
【０１２０】
図１３は、一次電子チケット販売装置２００の動作を示すフローチャートである。一次電子チケット販売装置２００は、ネットワーク上に、一次電子チケットを販売する一次電子チケット販売サイトを提供している。
【０１２１】
図１３に示すように、一次電子チケット販売装置２００の通信部２０１は、ユーザ端末から、一次電子チケットの購入依頼を受信した場合には（ステップＳ１３０１のＹＥＳ）、当該購入依頼を制御部４０５に伝達する。
【０１２２】
制御部４０５は、購入依頼のあった一次電子チケットの料金の支払いがあったか否かを判定する（ステップＳ１３０２）。料金が支払われた場合には（ステップＳ１３０２のＹＥＳ）、ステップＳ１３０３に進み、料金が支払われるまでは待機する（ステップＳ１３０２のＮＯ）。
【０１２３】
料金が支払われたことを受けて、制御部４０５は、一次電子チケットの購入依頼から一次電子チケットを指定する情報と、購入依頼を行ったユーザ端末の機器ＩＤと、当該ユーザ端末のユーザに係るユーザ名とを抽出する。そして、抽出した情報を一次電子チケットデータベース２１０に登録する（ステップＳ１３０３）。すなわち、制御部２０３は、購入依頼で指定されている一次電子チケットに対応する一次電子チケットＩＤ２１１を検索し、検索したＩＤの欄に対応付けて、購入機器ＩＤ２１２として、購入依頼に含まれるユーザ端末の機器ＩＤを、購入者名２１３として、購入依頼に含まれるユーザ名を登録し、有効フラグを有効に設定する。
【０１２４】
そして、制御部２０３は、通信部２０１を介して、認証装置３００に、一次電子チケットの登録情報依頼を行う（ステップＳ１３０４）。当該登録情報依頼には、一次電子チケットのチケットＩＤ、一次電子チケットを購入したユーザ端末の機器ＩＤ、当該ユーザ端末のユーザに係るユーザ名が含まれる。
【０１２５】
そして、制御部２０３は、購入された一次電子チケットに係る情報を、通信部２０１を介して、一次電子チケットを購入したユーザ端末に送信し（ステップＳ１３０５）、ステップＳ１３０１に戻る。
【０１２６】
一方、一次電子チケットの購入依頼ではなく（ステップＳ１３０１のＮＯ）、一次電子チケットの無効化依頼を二次電子チケット販売装置１００から受信した場合には（ステップＳ１３０６のＹＥＳ）、通信部２０１は、受信した無効化依頼を制御部２０３に伝達する。
【０１２７】
制御部２０３は、無効化依頼を伝達されると、当該無効化依頼に含まれる、チケットＩＤを抽出する。そして、制御部４０５は、一次電子チケットデータベース２１０から、抽出したチケットＩＤに対応する一次電子チケットＩＤ２１１を検索し、対応する有効フラグ２１４を無効にする（ステップＳ１３０７）。
【０１２８】
そして、制御部２０３は、通信部２０１を介して、認証装置に対して、一次電子チケット情報の削除依頼を送信する（ステップＳ１３０８）。当該削除依頼には、情報を削除したい一次電子チケットのチケットＩＤが含まれる。これにより、認証装置３００では、一次電子チケットの購入者情報が削除される。
【０１２９】
以上が、一次電子チケット販売装置２００の動作の説明である。次に、二次電子チケットを販売する二次電子チケット販売装置１００の動作について説明する。
【０１３０】
図１４は、二次電子チケット販売装置１００の動作を示すフローチャートである。二次電子チケット販売装置１００は、二次電子チケットを販売する二次電子チケット販売サイトを提供する。
【０１３１】
二次電子チケット販売装置１００の通信部１０１は、一次電子チケットを購入したユーザ端末から、二次電子チケットとして販売される一次電子チケットの売却依頼（買い取り依頼）を受信すると（ステップＳ）、制御部１０３に、当該売却依頼を伝達する。
【０１３２】
制御部１０３は、当該売却依頼を受け付けて、売却依頼に含まれる、一次電子チケットのチケットＩＤ、ユーザ端末の機器ＩＤ、ユーザ名を抽出し、二次電子チケットデータベース１１０に新たに、二次電子チケットＩＤ１１１、売却機器ＩＤ１１２、一次購入者名１１３として、それぞれに登録する。そして、制御部１０３は、二次電子チケット販売サイトに、一次電子チケットが対応するイベントのチケットの販売情報を公開する（ステップＳ１４０２）。
【０１３３】
一方、二次電子チケット販売装置１００の通信部１０１は、二次電子チケットとして販売される一次電子チケットの売却依頼ではなく（ステップＳ１４０１のＮＯ）、二次電子チケットの購入依頼を受信した場合には（ステップＳ１４０３のＹＥＳ）、制御部１０３に当該購入依頼を伝達する。
【０１３４】
制御部１０３は、購入依頼のあった二次電子チケットの料金の支払いがあったか否かを判定する（ステップＳ１４０４）。料金が支払われた場合には（ステップＳ１４０４のＹＥＳ）、ステップＳ１４０５に進み、料金が支払われるまでは待機する（ステップＳ１４０４のＮＯ）。
【０１３５】
二次電子チケットの購入依頼を行ったユーザ端末から料金を受け取ると、制御部１０３は、一次電子チケット販売装置２００に対して、一次電子チケットの無効化依頼を行う（ステップＳ１４０５）。制御部１０３は、購入依頼があった二次電子チケットに対応する一次電子チケットのチケットＩＤを含む無効化依頼を生成し、通信部１０１を介して、一次電子チケット販売装置２００に送信する。
【０１３６】
制御部１０３は、二次電子チケットの購入依頼に含まれているユーザ端末の機器ＩＤと、ユーザ名とを、購入された二次電子チケットのチケットＩＤに対応する購入機器ＩＤ１１４と二次購入者名１１５とに登録して、二次電子チケットデータベース１１０を更新する。
【０１３７】
そして、制御部１０３は、購入された二次電子チケットのチケットＩＤと、購入依頼に含まれているユーザ端末の機器ＩＤと、ユーザ名とを含む情報登録依頼を生成し、通信部１０１を介して、認証装置３００に送信する（ステップＳ１４０７）。
【０１３８】
制御部１０３は、通信部１０１を介して、購入された二次電子チケットの情報を、二次電子チケットを購入したユーザ端末に送信して（ステップＳ１４０８）、ステップＳ１４０１に戻る。
【０１３９】
以上が、二次電子チケット販売装置１００の動作である。最後に、認証装置３００の動作について説明する。
【０１４０】
図１５は、認証装置３００の通信部３０１は、認証依頼を受信した場合には（ステップＳ１５０１のＹＥＳ）、当該認証依頼を制御部３０４に伝達する。制御部３０４は、認証依頼に含まれる電子チケットＩＤと、機器ＩＤと、ユーザ名とを抽出する。
【０１４１】
制御部３０４は、記憶部３０２から認証情報を読み出す（ステップＳ１５０２）。
【０１４２】
そして、制御部３０４は、認証依頼に含まれる電子チケットＩＤと、機器ＩＤと、ユーザ名との組み合わせが、認証情報３１０に登録されているか否かを認証する（ステップＳ１５０３）。すなわち、制御部３０４は、認証依頼に含まれる電子チケットＩＤに対応する電子チケットＩＤを、チケットＩＤ３１１から探索する。そして、探索したチケットＩＤ３１１に対応する有効機器ＩＤ３１２と、認証依頼に含まれる機器ＩＤとが一致するかを、また、対応する権利者名３１３と、認証依頼に含まれるユーザ名とが一致するかを判定する。制御部３０４は、双方が一致した場合に、認証成功と判定し、少なくとも一方が一致しなかった場合に、認証失敗と判定する。
【０１４３】
認証に成功した場合には（ステップＳ１５０４のＹＥＳ）、制御部３０４は、報知部３０３に認証成功を報知させてステップＳ１５０１の処理に戻る。認証に失敗した場合には（ステップＳ１５０４のＮＯ）、制御部３０４は、報知部３０３に認証失敗を報知させてステップＳ１５０１の処理に戻る。
【０１４４】
一方、通信部３０１が、認証依頼ではなく（ステップＳ１５０１のＮＯ）、一次電子チケットの登録依頼を受信した場合には（ステップＳ１５０７のＹＥＳ）、制御部３０４に、一次電子チケットの登録依頼を伝達する。
【０１４５】
制御部３０４は、一次電子チケットの登録依頼に含まれる電子チケットＩＤと、機器ＩＤと、ユーザ名とを抽出する。そして、抽出した情報を認証情報３１０に登録してステップＳ１５０１の処理に戻る。すなわち、抽出した電子チケットＩＤと、機器ＩＤと、ユーザ名とを、それぞれ、認証情報のチケットＩＤ３１１、有効機器ＩＤ３１２、権利者名３１３として登録する。
【０１４６】
また、通信部３０１が、一次電子チケットの登録依頼ではなく（ステップＳ１５０７のＮＯ）。一次電子チケットの削除依頼と、二次電子チケットの登録依頼を受信していた場合には（ステップＳ１５０９のＹＥＳ）、その旨を制御部３０４に伝達する。
【０１４７】
制御部３０４は、これを受けて、まず、一次電子チケットの削除依頼に含まれる電子チケットＩＤに対応するチケットＩＤを認証情報３１０から探索する。そして、対応付けられている機器ＩＤ３１２と権利者名３１３とを削除する。次に、制御部３０４は、二次電子チケットの登録依頼に含まれる電子チケットＩＤと、機器ＩＤと、ユーザ名とを抽出する。そして、制御部３０４は、登録依頼に含まれていた電子チケットＩＤに対応するチケットＩＤ３１１を探索し、探索したチケットＩＤ３１１に対応する有効機器ＩＤ３１２と、権利者名３１３とに抽出した機器ＩＤとユーザ名とを登録して、ステップＳ１５０１の処理に戻る。
【０１４８】
以上が認証装置３００の動作である。
【０１４９】
＜表示例＞
ここから、電子チケットの表示例について説明する。図１６（ａ）は、一次電子チケットの表示例である。また、図１６（ｂ）は、二次電子チケットの表示例である。図１６（ａ）、（ｂ）に示すように、電子チケットには、イベントの名称や、開場、開演の時間等の情報を含んでよく、イベントのときに、フロントでイベントスタッフにより切り取られる切り取り部１６０１を含む。
【０１５０】
切り取り部１６０１は、イベントスタッフが、当該部分にタッチして、スワイプすることで、図１９に示すように、切り取ることができる（ユーザ端末が、切り取り部１６０１を切り取るような画像の表示を行う）。当該操作を入力受付部４０２が受け付けることをトリガとして、ユーザ端末４００は、認証装置３００に対して認証依頼を行う。
【０１５１】
また、図１６（ａ）と、図１６（ｂ）とを比較すればわかるように、二次電子チケットは、一次電子チケットとは異なった表示態様で表示する。当該二次電子チケットの表示情報は、上述の通り、ユーザ端末が記憶部４０４に記憶されているテンプレートを利用して生成することとしてもよいし、二次電子チケット販売装置１００が生成し、送信されたものを表示することとしてもよい。図１６（ｂ）では、文字により二次電子チケットであることを明示しているが、色を変えたり、背景色を変えたり、別の表示態様にさえ、なっているだけでもよく、二次電子チケットであることがユーザに理解できれば、その他のどのような表示態様をとってもよい。二次電子チケットを、一次電子チケットと区別するための表示態様としては、文字により明記する以外には、図１７に示すような、表示態様により実現することとしてもよい。二次電子チケット販売装置１００は、一次電子チケットに対して特定の模様を付加した電子チケットを二次電子チケットとして販売し、ユーザ端末４００は、図１７（ａ）に示すように、二次電子チケットを表示してもよい。図１７（ａ）と、図１６（ａ）とを比較すればわかるように、図１７（ａ）に示す二次電子チケットには、格子模様が付加されている。また、その他の手法としては、図１７（ｂ）に示すように、一次電子チケットとの区別をつけるために、二次電子チケットであることを示す何等かのアイコン１７０１が付加されていてもよい。あるいは、二次電子チケットの色を、一次電子チケットの色とは異なる配色にしてもよい。
【０１５２】
また、図１６（ａ）や図１６（ｂ）に示すように、電子チケットには、付帯情報が付属していてもよい。これらの付帯情報は、一次電子チケットであれば、一次電子チケット販売装置２００により付され、二次電子チケットであれば、二次電子チケット販売装置１００により付される。図１６（ａ）、（ｂ）では、付属情報として、「グッズ」と、「本人動画」というタブで表現しており、これらのタブをタッチすることで詳細情報を閲覧することができる。図１８（ａ）には、「グッズ」のタブを選択した場合の表示例を示し、図１８（ｂ）には、「本人動画」を選択した場合の表示例を示している。図１８（ａ）に示すように、「グッズ」を選択した場合には、イベントに関連する商品の販売物が列挙される。これらのグッズは、ユーザ端末４００から課金されている対価の支払いを行うことで、ユーザ端末４００の持ち主の元に届けられる。当該グッズの売買に関するシステムとしては、従来の通販システムを応用すればよい。また、あるいは、ここでは、課金だけを行い、商品は、イベント開場で受け取れるようにしてもよい  。図１８（ｂ）に示すように、「本人動画」を選択した場合には、イベントに関連するアーティストや主催者等のコメントや歌などを録画した動画を再生するための画面が表示される。当該動画は、コンテンツ内で表示することとしてもよいし、ユーザ端末４００に備えられた専用のプレイヤーにより再生できてもよい。なお、これらのコンテンツについても課金されている対価を支払うことにより視聴できるもの、無料で利用できるものが含まれてもよい。そのために、ユーザ端末４００の制御部４０５は、二次電子チケット販売装置１００に対して、コンテンツを利用するための対価を支払う支払機能と、当該支払いを行った場合に、コンテンツの利用制限を解除する機能とを有する。付属情報は、イベントに関連する何らかの情報であればよく、例えば、イベントに関連するグッズの販売情報や、イベントを主催する人物のコメント動画、ファンクラブの情報、イベントで披露される予定の音源の一部など、様々なものが付帯情報として付与し得る。これらの付帯情報には、利用するために課金が必要なものが含まれてもよい。例えば、動画の視聴、音声の再生、イベントの事前販売情報や、イベント後の販売情報（例えば、イベントがコンサートなどの場合には、録音音源の販売など）などが課金の必要な付帯情報としてあり得る。また、その他には、何らかの条件により、特定の特典が得られる付帯情報が含まれてもよい。例えば、イベントに関連する質問を表示し、当該質問に対して正解を入力できた場合には、その特典（イベント限定グッズ、イベントに関連するなんらかのグッズや、コンテンツなど）が得られるように構成してもよい。また、付帯情報は、付与しなくともよい。また、一次電子チケットと、二次電子チケットとで、付帯情報は、同じであってもよいし、異なるものであってもよい。また、更には、これらの付属情報には、関連するウェブサイトへのアクセスリンクが含まれてもよい。
【０１５３】
なお、図１６〜図１９に示した電子チケットの表示例はあくまで一例である。
【０１５４】
＜まとめ＞
上記実施の形態に示した二次電子チケット販売システムによれば、電子チケットを購入したものの、何らかの事情でイベントに参加できなくなったユーザが、電子チケットを他のユーザに販売する場を提供することができる。また、本二次電子チケット販売システムであれば、イベントを開催する主催者に対しても、料金、イベントの活性化等のメリットを提供することができる。また、電子チケットに各種の付帯情報を付与することで、電子チケットの流通市場の活性化に貢献することができる。また、二次電子チケット販売システムは、紙媒体ではないため、イベントの直前まで、チケットの二次売却を行うことができるので、従来よりも、多数のユーザがイベントに参加できる可能性を上げることができる。また、イベントの主催者が許可していない人物が不当にチケットを買い占めて転売することを防止できる。また、二次電子チケット販売システムによれば、電子チケットの移動を容易に管理し、コントロールすることができるため、所有者の追跡が可能となるという紙媒体のチケットとは異なる大きな効果を得られる。
【０１５５】
＜補足＞
上記実施の形態にしたがって、本発明に係る思想について説明してきたが、本発明に係る技術発明はこれに限定されるものではない。以下、本発明の技術思想として含まれる各種構成について説明する。
【０１５６】
（１）上記実施の形態においては、二次電子チケットの料金設定については詳細に述べていない。二次電子チケットの料金設定については、特に限定するものではないが、以下の３形態が考えられる。
【０１５７】
（ｉ）一次電子チケットの売却を依頼したユーザが、二次電子チケット販売装置１００に売却を依頼する時に設定する。
（ｉｉ）二次電子チケット販売装置１００のオペレータが設定する。
（ｉｉｉ）一次電子チケット販売装置２００（イベントの主催者）が設定する。
【０１５８】
一次電子チケット販売装置２００（イベントの主催者）が二次電子チケットの料金を設定すると、二次電子チケットの料金の高騰を防ぐことができ、多数のユーザにイベントを提供するとともに、安定した二次電子チケット市場を提供することができる。また、二次電子チケット販売サイトにおいては、営利目的の電子チケットの販売は許可していない旨を示してもよい。
【０１５９】
（２）上記実施の形態において、イベント会場における電子チケットのもぎり処理を行う処理は、一次電子チケット販売装置２００ないしは二次電子チケット販売装置１００が配布する専用アプリケーションにより実現されてもよい。当該アプリケーションは、一次電子チケット販売装置２００や、二次電子チケット販売装置１００からダウンロードできるように構成される。
【０１６０】
（３）上記実施の形態において、認証装置３００は、認証依頼に含まれる電子チケットＩＤと、機器ＩＤと、ユーザ名との組み合わせが認証情報に登録されている否かに応じて、認証を行うこととしたが、これはその限りではない。電子チケットＩＤと機器ＩＤの組み合わせ、あるいは、電子チケットＩＤとユーザ名の組み合わせだけで認証を行ってもよいし、これらの情報を用いた特定の暗号化処理を利用した認証（例えば、ハッシュ関数）を行ってもよい。
【０１６１】
（４）上記実施の形態においては、電子チケットの配布は、一枚単位で行うこととしているが、これは、ユーザが複数の電子チケットの購入を行った場合には、複数の電子チケットを纏めて配布することとしてもよい。この時の、複数の電子チケットは、同じイベントのチケットであってもよいし、異なるイベントのチケットであってもよい。また複数のイベントチケットを纏めて購入した場合には、それぞれの付帯情報を纏めて一つのリストにして表示できるように構成してもよい。
【０１６２】
また、電子チケットが何らかの会員のみが購入可能である場合に、当該会員が複数の電子チケットを購入し、会員でないユーザと同伴してイベントに参加することが考えられるが、そのような場合に、電子チケットを購入したユーザ端末から、会員でないユーザのユーザ情報を得て、当該非会員を会員に誘致することとしてもよい。
【０１６３】
具体的には、二次電子チケット販売装置１００は、ユーザ端末から二次電子チケットの複数購入依頼を受けた際には、当該二次電子チケットを利用する予定のユーザ情報の登録を二次電子チケットの購入依頼を行ったユーザ端末に依頼し、登録させる構成をとってもよい。当該ユーザ情報は、二次電子チケットを使用する予定のユーザを特定できる情報であればよく、例えば、ユーザの名前や年齢、出身、ユーザの保持するユーザ端末の固有識別情報、二次電子チケット販売システムにおけるユーザ自身の固有識別情報（例えば、二次電子チケット販売装置１００に登録しているユーザのＩＤ）などを用いるとよく、特に、ユーザ端末のメールアドレスを用いるとよい。
【０１６４】
そして、非会員への誘致については、二次電子チケット販売装置１００は、登録されたユーザ情報に基づいて、会員情報を保持するサーバにアクセスして、二次電子チケットを使用する予定のユーザが会員として登録されているか否かを問い合わせる。そして、会員として登録されていないと判定された場合に、二次電子チケット販売装置１００は、ユーザ端末に対して会員登録の誘致を行うメッセージを送信する。これにより、非会員ユーザを会員になるように誘致することができる。また、予め二次電子チケットを使用する予定のユーザのユーザ情報を登録しておくことで、転売目的で二次電子チケットを購入して、ユーザをイベントに同伴させるような行為を抑制することができる。
【０１６５】
また、同伴者を伴ってイベントに参加する場合の使用形態としては、以下に示す形態をとることとしてもよい。具体的には、一つのユーザ端末から複数の二次電子チケットを購入して使用する場合には、図２１（ａ）に示すように、複数の二次電子チケットの中から使用する二次電子チケットを選択する。このとき、ユーザ端末は、一つのイベントについて、複数の二次電子チケットを購入している場合には、そのことがわかるように表示してもよい。図２１（ａ）の例では、「○○ＬＩＶＥ２０１６」のタブが複数重ねて表示することで複数枚購入していることを示す例を示している。なお、この表示例は一例である。図２１（ａ）に示すように、「○○ＬＩＶＥ２０１６」の二次電子チケットが選択されると、図１６（ｂ）に示すように、「○○ＬＩＶＥ２０１６」の二次電子チケットが表示される。そして、この画面がイベントスタッフに提示されると、図１７に示すように、イベントスタッフにより、二次電子チケットのもぎり操作が行われる。
【０１６６】
すると、ユーザ端末は、当該二次電子チケットについて、複数枚購入しているか否かを、二次電子チケットの保持枚数から判断する。そして、複数枚保持していた場合には、保持している枚数分までの使用枚数を指定するための画面を図２１（ｂ）に示すように表示する。そして、同伴者並びにユーザ自身を含めた人数分の枚数に該当する枚数を選択する。すると、その枚数分の二次電子チケットが消費される。このとき、購入した全枚数を使用しない場合、例えば、同伴予定者のうち誰かが都合によりイベントに参加できない場合には、同伴者の情報として、二次電子チケットを購入した際に登録したユーザ情報を選択して、認証装置３００に送信することとしてもよい。これにより、認証装置３００は、イベントに誰が参加したのか否かを示す情報を取得することができる。また、図２１（ｂ）では、購入した全枚数について選択可能にボタンを表示しているが、これは、例えば、１枚と、購入した全枚数分のボタンのみを表示することとしてもよい。すなわち、図２１（ｂ）の例で言えば、「２枚」の選択のボタンを表示しない態様を撮ってもよい。当該表示態様は、ユーザ端末における設定で変更できるように構成されていてもよい。
【０１６７】
また、二次電子チケットの譲渡先を当初の予定と変更する場合には、二次電子チケットを購入したユーザ端末から、譲渡先のユーザ端末の情報を変更できるように構成してもよい。当該譲渡機能は、イベントの内容に応じて、譲渡が可能か否かを二次電子チケット販売装置１００で設定できることとしてもよい。例えば、転売による利益が大きくなると見込める人気アイドルのコンサートなどの場合には、二次電子チケットを譲渡できないように設定してもよい。当該設定は、二次電子チケット販売装置１００のオペレータが設定できてもよいし、イベントの主催者が設定できることとしてもよい。また、この際には、二次電子チケット販売サイトにおいては、二次電子チケットが譲渡できないことを示す情報を掲載するとよい。
【０１６８】
（５）上記実施の形態においては、特に記載しなかったが、イベントにおいて座席の指定がされている場合には、購入依頼には座席の指定情報が含まれてもよい。また、この場合、販売される二次電子チケットには、対応する一次電子チケットで着席できる座席の情報も対応付けられるとともに、二次電子チケット販売サイトでは、その座席情報も公開される。
【０１６９】
（６）上記実施の形態においては、特に記載していないが、二次電子チケット販売システムにおいて、二次電子チケット販売装置１００は、二次電子チケットとして販売される一次電子チケットの売却依頼を受け付けた場合に、一次電子チケット販売装置２００に対して、一次電子チケットを二次電子チケットに変えて販売する許可を得る構成にしてもよい。
【０１７０】
（７）上記実施の形態においては、一次電子チケット販売装置２００は、一次電子チケットの無効化依頼を受けた場合、認証装置３００に対して、当該一次電子チケットの情報の削除依頼を行う構成を示している。これは、二次電子チケット販売システムにおけるセキュリティ性を向上させるためのものであるが、二次電子チケット販売装置１００から依頼される二次電子チケットの登録に当たって、電子チケットのＩＤを共有していることから、上書きすることによっても、同様の効果を得ることができる。すなわち、一次電子チケット販売装置２００から認証装置３００に対して、一次電子チケットの削除依頼は、必ずしも行わなくともよい。
【０１７１】
（８）上記実施の形態においては、ユーザ端末から一次電子チケットを、二次電子チケット販売装置１００に売却する例を示しているが、これは、二次電子チケット販売装置１００から二次電子チケットを購入したユーザが、イベントに参加できなくなり、二次電子チケットを二次電子チケット販売装置１００に売却依頼をすることとしてもよい。
【０１７２】
また、上記実施の形態においては、二次電子チケット販売装置と記載しているが、二次電子チケット販売装置１００は、一次電子チケット販売装置１００が販売した一次電子チケットを二次電子チケットとして他の二次電子チケット販売装置から販売されたものを買い取って、売却する三次電子チケット販売装置として機能してもよい。このような場合には、三次電子チケット販売装置は、一次電子チケット販売装置と、二次電子チケット販売装置に対して、電子チケットの無効化を依頼する。
【０１７３】
（９）上記実施の形態においては、特に記載していないが、二次電子チケット販売システムにおいて、ユーザ端末から他のユーザ端末に、電子チケットを譲渡できるように構成してもよい。この場合には、電子チケットを他のユーザ端末に譲渡すると、ユーザ端末の制御部４０５は、譲渡先のユーザ端末のＩＤとユーザ情報とを含む譲渡情報を、譲渡した電子チケットが一次電子チケットの場合には、一次電子チケット販売装置２００に、譲渡した電子チケットが二次電子チケットの場合には、二次電子チケット販売装置１００に伝達する。そして、各電子チケット販売装置は、受信した譲渡情報を記憶しているデータベースに記憶するとともに、認証装置３００に対して、認証情報の更新を依頼する。また、ユーザ端末４００の制御部４０５は、二次電子チケットを他のユーザ端末に譲渡した場合には、自機で保持している二次電子チケットを削除または二次電子チケットに対して無効フラグを立てることで、無効化する機能を有してもよい。
【０１７４】
二次電子チケットの譲渡を行う場合には、二次電子チケットを購入したユーザ端末から、譲渡先のユーザ端末に対して、当該二次電子チケットを送信する。このとき、二次電子チケットはどのような態様で二次電子チケットを送信してもよく、譲渡先のユーザ端末にメールに添付して送信することとしてもよいし、二次電子チケット販売装置１００が配布する専用アプリケーションをユーザ端末双方にインストールして、当該アプリケーションを介して、ユーザ指定で転送することとしてもよいし、二次電子チケットを譲渡するユーザ端末に、当該二次電子チケットに関する二次元バーコードを表示し、譲渡先のユーザ端末が当該二次元バーコードを読み取ることで、譲渡することとしても良い。二次電子チケットを譲渡するユーザ端末は、譲渡先のユーザ端末に関する情報（ユーザ情報、ユーザ端末の固有識別情報、メールアドレスなど）を二次電子チケット販売装置１００に送信し、二次電子チケット販売装置１００は、認証装置３００に当該情報を登録する。これにより、譲渡先のユーザ端末が二次電子チケットを受け取って当該ユーザ端末の二次電子チケットを用いてイベントに参加することができる。
【０１７５】
このとき、元々友人等に譲渡する目的で二次電子チケットを購入する場合、すなわち、譲渡先が予め決まっている場合には、二次電子チケットを購入するユーザは、譲渡先のユーザに関する情報（例えば、ユーザ名、ユーザのメールアドレス、ユーザ端末の固有識別情報、二次電子チケット販売システム上におけるユーザの固有識別情報など）を購入時に二次電子チケット販売装置１００に登録する構成としてもよい。また、二次電子チケットを譲渡した場合に、譲渡先のユーザ端末から、二次電子チケットの譲渡を受けたことを示す情報を、二次電子チケット販売装置１００に送信する構成にしてもよい。このとき、譲渡先のユーザ端末は、二次電子チケットを購入したユーザ端末が登録したユーザ情報を送信する構成にする。これにより、二次電子チケットの転売を目的とした購入を抑制することができる。
【０１７６】
図２２に複数のチケットを購入する場合の表示画面例を示す。図２２（ａ）は、ユーザがユーザ端末４００ｂを用いて、二次電子チケットを購入する際に表示される画面例である。図２２（ａ）に示すように、ユーザ端末４００ｂを用いて二次電子チケット販売サイトにアクセスして、所望のイベントチケットの購入を選択すると、購入可能な二次電子チケットの種類が示される。図２２（ａ）の場合であれば、「指定Ａ席」、「指定Ｂ席」、「自由席」、「東側１Ｆ９列１９番」、「中央２Ｆ１２列８番」、「中央２Ｆ２列５番」の選択肢が表示された例を示している。これらのうち、ユーザ端末は、購入予定のチケットに対応するボックス２２０１を選択し、座席指定でない場合には購入枚数を購入枚数ボックス２２０２から選択する。
【０１７７】
そして、図２２（ａ）に示すように、複数枚購入する場合、ユーザ端末４００ｂでは、図２２（ｂ）に示されるように、二次電子チケットを使用する予定のユーザについての情報として、ユーザ名２２１１と、メールアドレス２２１２と、ユーザＩＤ２２１３とのうち少なくともいずれかの入力を行って購入する。これにより、二次電子チケットを使用する予定のユーザを限定することにより、二次電子チケットの転売を困難にすることができる。
【０１７８】
また、二次電子チケットによっては、二次電子チケット販売装置１００側で譲渡不可属性を付与して、譲渡できないようにしてもよい。その際には、二次電子チケット販売装置１００は、二次電子チケット販売サイト上で、その二次電子チケットは譲渡できない旨を示すことになる。また、譲渡をする際には購入したユーザ端末で最低１枚は使用するという制限を設けることとしてもよい。すなわち、ユーザ端末は、ｎ（ｎは２以上の自然数）枚の二次電子チケットを購入した場合には、ｎ−１枚までは、譲渡可能とし、１枚は譲渡不可とする制御を行ってもよい。人気の高い二次電子チケットは、転売による儲けが見込めるものの、二次電子チケットを譲渡できないようにすることで、第三者が転売することによる二次電子チケットの高騰を防ぐことができる。
【０１７９】
（１０）上記実施の形態において認証装置３００を設けて、イベント時に、電子チケットの正当性を認証することとしているが、これはその限りではない。認証機能は、一次電子チケット販売装置２００、あるいは、二次電子チケット販売装置１００が有することとしてもよい。すなわち、電子チケットがイベントスタッフにより切られると、ユーザ端末４００は、電子チケットが二次電子チケットである場合には、二次電子チケット販売装置１００に、電子チケットが一次電子チケットである場合には、一次電子チケット販売装置２００に、認証依頼を送信する。認証依頼を受けた二次電子チケット販売装置１００又は一次電子チケット販売装置２００は、保持しているデータベースを参照して、認証を行う。そして、イベントのフロントには、報知部のみを設置、もしくは、イベントスタッフが保持する端末を報知部として、認証結果を報知させることとしてもよい。
【０１８０】
（１１）上記実施の形態においては、特に記載していないが、一次電子チケット販売装置２００や、二次電子チケット販売装置１００は、ユーザが電子チケットに付与した付帯情報に対する閲覧履歴や操作履歴を取得して、ユーザの嗜好を特定し、新たな付帯情報を付与する際に、ユーザ好みの付帯情報を生成して付与するようにしてもよい。
【０１８１】
（１２）上記実施の形態において、二次電子チケット販売装置１００がユーザから買い取って販売するのは、イベントに参加するための電子チケットであることとしたが、これに限定されるものではない。例えば、チケット以外には、その他の電子化された商品券や、サービス券、航空券、旅行券、映画館や遊園地その他施設の入場券などであってもよい。
【０１８２】
（１３）上記二次電子チケットは、どのようなデータ形態をとってもよく、例えば、一次元バーコードや、二次元バーコードなどであってもよい。そして、上記実施の形態におけるイベント会場におけるチケットを切る態様は、一次元バーコードや二次元バーコードをユーザ端末に表示させ、認証装置３００に備えたバーコードリーダーを代替とする構成をとってもよい。また、二次電子チケットは、紙媒体や表示画面等に印字された二次元バーコードを読み取ることで、電子化することとしてもよい。
【０１８３】
（１４）ここで、二次電子チケット（又は一次電子チケット）の売却における表示例について説明する。メニュー（図示せず）の中から、二次電子チケットの売却を選択した場合には、ユーザ端末４００ｂの表示画面には、図２３（ａ）に示されるように、ユーザ端末４００ｂで保持している二次電子チケットを表示し、売却するチケットを選択させる画面が表示される。このとき、複数枚二次電子チケットを購入している場合には、図２３（ｂ）に示すように、売却枚数を選択する。
【０１８４】
また、二次電子チケットの購入時に登録しておいたユーザ情報のうち、イベントに参加できなくなったユーザの情報を削除するために表示されるユーザ情報２３１１〜２３１３から、イベントに参加しないユーザを選択して、二次電子チケットの売却を実行することとなる。
【０１８５】
（１５）上記実施の形態においては、特に記載していないが、ユーザ端末は、イベントの当日あるいは前日になると、関連する二次電子チケットを他の二次電子チケットとは異なる表示態様にして、ユーザにイベントの開催が迫っていることを通知することとしてもよい。例えば、二次電子チケットには、イベントの開催日時情報が対応付けられており、当該開催日時情報をユーザ端末は、記憶しているものとする。そして、自端末において計時している日時が、イベントの開催日時情報で示される所定時間前（例えば、２４時間前）になると、イベント開催日時が迫っていることを報知する。当該報知は、音声による報知、画像による報知、文書による報知を問わないものとする。
【０１８６】
そして、図２４に示すように、ユーザ端末は、複数の二次電子チケットを表示する際には、イベント開催日時が迫っているイベントについて、他の二次電子チケットとは異なる表示態様で表示する。例えば、イベント開催日時が迫っているイベントに対応する二次電子チケットを特定の色（例えば、赤色や、橙色、虹色など）で光るように表示する構成をとってもよい。そのような表示態様をとることで、ユーザ端末は、一意にいずれのイベント開催日時が迫っているかをユーザに通知することができる。また、ユーザは、イベント開場において、迷うことなく使用すべき二次電子チケットを選択することができる。
【０１８７】
（１６）上記実施の形態においては、一次電子チケットを購入したユーザ端末から、二次電子チケット販売装置１００に販売依頼を行う例を示しているが、これはその限りではない。例えば、一次電子チケット販売サイト及び二次電子チケット販売サイトにおいて共通して使用できるＩＤ及びパスワードが設定されている場合などには、一次電子チケットを購入したユーザ端末を保有するユーザが自身の保有する他の機器（例えば、ＰＣ）から二次電子チケット販売サイトにログインし、ユーザ端末で購入した一次電子チケットのＩＤ等を入力することで、一次電子チケットを販売するという構成をとってもよい。
【０１８８】
ただ、一次電子チケットを二次電子チケット販売サイトにアクセスして売却する場合には、一次電子チケットを購入したユーザ端末からアクセスして行う方が、一次電子チケットを購入したことの正当性が確保しやすくなると同時に、二次電子チケットの正当性の保証につなげやすくなるという効果を得ることができる。
【０１８９】
また、ユーザ端末に保持されている電子チケットの売買のためのアプリケーションにより実施の形態に係る電子チケットの売買を実現する場合には、ユーザ端末のアプリケーション上でチケットの売買を実現することができ、電子チケット販売サイトへのアクセスやログインといった手間を省くこともできる。これにより、ユーザ端末におけるユーザビリティの向上という効果を奏することができる。これは、ユーザ端末に、ユーザ端末のＩＤや、ユーザＩＤ、購入した一次電子チケットに関する情報が保持されていることにより、各種の手続きの手間を軽減することができる。なお、当該構成は、二次電子チケットを購入したユーザ端末を保有するユーザが一次電子チケットを売却する場合にも同様のことが言える。
【０１９０】
（第２の実施形態）
本発明の第２の実施形態は、同一のユーザのユーザ端末４００ａにおける、電子チケットの表示態様を変更制御する場合の実施形態である。制御部４０５は、例えば、所定の条件を満たす電子チケットの表示態様を、他の電子チケットの表示態様と異なるものに変更する。なお、本実施形態における電子チケットは第１の実施形態における一次電子チケット及び二次電子チケットの何れであってもよく、また一次電子チケットであるか二次電子チケットであるかの区別がされていなくてもよい。
【０１９１】
第２の実施形態におけるユーザ端末４００の構成例は、図５に示す実施形態１のユーザ端末の構成例と同様であるため、詳細な説明は省略される。
【０１９２】
第２の実施形態におけるユーザ端末４００の制御部４０５は、当該ユーザ端末４００の記憶部４０４に記憶されている複数の電子チケットについて、各電子チケットに関する情報に基づいて各々の電子チケットが相対的に異なる表示態様で表示されるように制御する。
【０１９３】
制御部４０５は、記憶部４０４に記憶されている各電子チケットに対応するイベントの開催期間に関する情報を取得し、当該取得した開催期間に関する情報に基づいて各電子チケットの表示態様がそれぞれ識別可能な表示態様で表示されるように制御する。開催期間とは、例えば、（１）イベントが開催される年月日又は年月又は年の情報であってもよく、（２）イベントが開催される時点までの残期間であってもよく、（３）イベントが開催される日数（３日間など）又は時間（８時間や９０分間など）などであってもよい。
【０１９４】
制御部４０５は、記憶部４０４に記憶されている各電子チケットに対応するイベントの開催期間に関する情報を取得し、当該取得した開催期間に関する情報に基づいて当該開催期間が相対的に早い電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。
【０１９５】
制御部４０５は、記憶部４０４に記憶されている各電子チケットに対応するイベントの開催期間に関する情報を取得し、当該取得した開催期間に関する情報に基づいて当該開催期間が相対的に遅い電子チケットの表示態様が、他の電子チケットと比較して相対的に識別性が低い表示態様で表示されるように制御する。相対的に識別性が低い表示態様とは、例えば、（１）表示サイズが相対的に小さく表示されることや、（２）表示方式（濃淡や輝度や明度など）が相対的にぼかして表示されることや、（３）表示形式（フォントなど）が相対的に目立たない表示形式で表示されることや、（４）表示順位が相対的に下位に表示されることなどである。
【０１９６】
制御部４０５は、記憶部４０４に記憶されている各電子チケットに対応するイベントの開催期間に関する情報を取得し、当該取得した開催期間に関する情報に基づいて当該開催期間が近い電子チケット同士の表示態様が、一体的な表示態様で表示されるように制御する。一体的な表示態様とは、例えば、（１）同一色又は同系色で表示されることや、（２）同一又は類似する表示方式（濃淡や輝度や明度など）で表示されることや、（３）同一又は類似する表示形式（フォントなど）で表示されることや、（３）重畳して表示されることなどである。なお、一体的な表示態様とは、これらの例に限られず、一体的に表示されていれば、どのような表示であってもよい。
【０１９７】
制御部４０５は、記憶部４０４に記憶されている各電子チケットに対応するイベントの属性に関する情報を取得し、当該取得した属性に関する情報に基づいて各電子チケットの表示態様がそれぞれ識別可能な表示態様で表示されるように制御する。属性に関する情報とは、例えば、（１）イベントが属するカテゴリの情報であってもよく、（２）イベントを開催する開催主体（アーティストや劇団など）の情報であってもよく、（３）イベントが開催される場所又は地域に関する情報であってもよい。イベントが属するカテゴリの情報とは、例えば、ロックやＪＰＯＰなどの音楽のジャンルであってもよく、サッカーやボクシングなどのスポーツのジャンルなどであってもよい。
【０１９８】
制御部４０５は、記憶部４０４に記憶されている各電子チケットに対応するイベントの属性としてイベントの属するカテゴリやジャンルに関する情報を取得し、当該取得したカテゴリやジャンルに関する情報に基づいて、当該カテゴリやジャンルに関する情報が一致又は類似する電子チケット同士の表示態様が、一体的な表示態様で表示されるように制御する。一体的な表示態様とは、例えば、（１）同一色又は同系色で表示されることや、（２）同一又は類似する表示方式（濃淡や輝度や明度など）で表示されることや、（３）同一又は類似する表示形式（フォントなど）で表示されることや、（３）重畳して表示されることなどである。なお、一体的な表示態様とは、これらの例に限られず、一体的に表示されていれば、どのような表示であってもよい。
【０１９９】
制御部４０５は、記憶部４０４に記憶されている各電子チケットに対応するイベントの属性としてイベントの属するカテゴリやジャンルに関する情報を取得し、当該取得したカテゴリやジャンルに関する情報に基づいて、当該カテゴリやジャンルに関する情報が異なる複数の電子チケットのうち相対的に優先度の高いカテゴリやジャンルの電子チケットの表示態様が、相対的に優先度の低いカテゴリやジャンルの他の電子チケットと比較して識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。優先度の高いカテゴリやジャンルとは、例えば、ユーザ毎に任意に設定されたカテゴリやジャンルであってもよいし、ユーザに関わる電子チケットに含まれるカテゴリやジャンルのうち相対的に数が多いカテゴリやジャンルであってもよいし、ユーザに関わる電子チケットに含まれる価格うち相対的に高価な電子チケットに対応するカテゴリやジャンルであってもよい。
【０２００】
制御部４０５は、記憶部４０４に記憶されている各電子チケットに対応するイベントの属性としてイベントの開催主体に関する情報を取得し、当該取得したイベントの開催主体に関する情報に基づいて、当該イベントの開催主体に関する情報が一致又は類似する電子チケット同士の表示態様が、一体的な表示態様で表示されるように制御する。一体的な表示態様とは、例えば、（１）同一色又は同系色で表示されることや、（２）同一又は類似する表示方式（濃淡や輝度や明度など）で表示されることや、（３）同一又は類似する表示形式（フォントなど）で表示されることや、（３）重畳して表示されることなどである。なお、一体的な表示態様とは、これらの例に限られず、一体的に表示されていれば、どのような表示であってもよい。
【０２０１】
制御部４０５は、記憶部４０４に記憶されている各電子チケットに対応するイベントの属性としてイベントの開催主体に関する情報を取得し、当該取得したイベントの開催主体に関する情報に基づいて、当該イベントの開催主体に関する情報が異なる複数電子チケットのうち相対的に優先度の高いイベントの開催主体の電子チケットの表示態様が、相対的に優先度の低いイベントの開催主体の他の電子チケットと比較して識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。相対的に優先度の高いイベントの開催主体とは、例えば、ユーザ毎に任意に設定されたイベントの開催主体であってもよいし、ユーザに関わる電子チケットに含まれるイベントの開催主体のうち相対的に数が多いイベントの開催主体であってもよいし、ユーザに関わる電子チケットに含まれる価格うち相対的に高価な電子チケットに対応するイベントの開催主体であってもよい。
【０２０２】
制御部４０５は、記憶部４０４に記憶されている各電子チケットに対応するイベントの属性としてイベントが開催される場所又は地域に関する情報を取得し、当該取得したイベントが開催される場所又は地域に関する情報に基づいて、当該イベントが開催される場所又は地域に関する情報が一近い電子チケット同士の表示態様が、一体的な表示態様で表示されるように制御する。一体的な表示態様とは、例えば、（１）同一色又は同系色で表示されることや、（２）同一又は類似する表示方式（濃淡や輝度や明度など）で表示されることや、（３）同一又は類似する表示形式（フォントなど）で表示されることや、（３）重畳して表示されることなどである。なお、一体的な表示態様とは、これらの例に限られず、一体的に表示されていれば、どのような表示であってもよい。
【０２０３】
制御部４０５は、記憶部４０４に記憶されている各電子チケットに対応するイベントの属性としてイベントが開催される場所又は地域に関する情報を取得し、当該取得したイベントが開催される場所又は地域に関する情報に基づいて、当該イベントが開催される場所又は地域に関する情報が異なる複数電子チケットのうち所定の位置に相対的に近くで開催されるイベントの電子チケットの表示態様が、所定の位置に相対的に遠くで開催されるイベントの電子チケットと比較して識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。所定の位置とは、例えば、ユーザ毎に任意に設定された場所又は地域であってもよいし、ユーザに関わる電子チケットに含まれるイベントの開催される場所又は地域のうち相対的に数が多い場所又は地域であってもよいし、ユーザに関わる電子チケットに含まれる価格うち相対的に高価な電子チケットに対応するイベントの場所又は地域であってもよい。
【０２０４】
制御部４０５は、記憶部４０４に記憶されている各電子チケットに関する情報を取得し、当該取得した電子チケットに関する情報に基づいて、各電子チケットの表示態様がそれぞれ識別可能な表示態様で表示されるように制御する。電子チケットに関する情報とは、例えば、（１）電子チケットの価格であってもよく、（２）電子チケットに対応するイベントの注目度に関する情報であってもよく、（３）電子チケットに対応するイベントの希少性に関する情報であってもよい。
【０２０５】
制御部４０５は、記憶部４０４に記憶されている各電子チケットの価格に関する情報を取得し、当該取得した電子チケットの価格に関する情報に基づいて、当該電子チケットの価格が相対的に高い電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。
【０２０６】
制御部４０５は、記憶部４０４に記憶されている各電子チケットの価格に関する情報を取得し、当該取得した電子チケットの価格に関する情報に基づいて、当該電子チケットの価格が相対的に安い電子チケットの表示態様が、他の電子チケットと比較して相対的に識別性が低い表示態様で表示されるように制御する。相対的に識別性が低い表示態様とは、例えば、（１）表示サイズが相対的に小さく表示されることや、（２）表示方式（濃淡や輝度や明度など）が相対的にぼかして表示されることや、（３）表示形式（フォントなど）が相対的に目立たない表示形式で表示されることや、（４）表示順位が相対的に下位に表示されることなどである。
【０２０７】
制御部４０５は、記憶部４０４に記憶されている各電子チケットに対応するイベントの注目度に関する情報を取得し、当該取得した電子チケットに対応するイベントの注目度に関する情報に基づいて、当該電子チケットに対応するイベントの注目度が相対的に高い電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。注目度が相対的に高いとは、例えば、イベントに関する情報の投稿される量が相対的に多いことであってもよいし、イベントに関する情報の閲覧数が相対的に多いことであってもよいし、イベントに関する情報の検索数が相対的に多いことであってもよいし、イベントに関するチケットの発行数が相対的に多いことであってもよい。
【０２０８】
制御部４０５は、記憶部４０４に記憶されている各電子チケットに対応するイベントの注目度に関する情報を取得し、当該取得した電子チケットに対応するイベントの注目度に関する情報に基づいて、当該電子チケットに対応するイベントの注目度が相対的に低い電子チケットの表示態様が、他の電子チケットと比較して相対的に識別性が低い表示態様で表示されるように制御する。相対的に識別性が低い表示態様とは、例えば、（１）表示サイズが相対的に小さく表示されることや、（２）表示方式（濃淡や輝度や明度など）が相対的にぼかして表示されることや、（３）表示形式（フォントなど）が相対的に目立たない表示形式で表示されることや、（４）表示順位が相対的に下位に表示されることなどである。注目度が相対的に低いとは、例えば、イベントに関する情報の投稿される量が相対的に少ないことであってもよいし、イベントに関する情報の閲覧数が相対的に少ないことであってもよいし、イベントに関する情報の検索数が相対的に少ないことであってもよいし、イベントに関するチケットの発行数が相対的に少ないことであってもよい。
【０２０９】
制御部４０５は、記憶部４０４に記憶されている各電子チケットに対応するイベントの希少性に関する情報を取得し、当該取得した電子チケットに対応するイベントの希少性に関する情報に基づいて、当該電子チケットに対応するイベントの希少性が相対的に高い電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。希少性が相対的に高いとは、例えば、イベントが開催される回数が相対的に少ないことであってもよいし、イベントが介される頻度が相対的に低いことであってもよいし、イベントが開催される残りの回数が相対的に少ないことであってもよいし、イベントに関するチケットの発行数が相対的に少ないことであってもよいし、イベントに関するチケットの残在庫数が相対的に少ないことであってもよい。
【０２１０】
制御部４０５は、記憶部４０４に記憶されている各電子チケットに対応するイベントの希少性に関する情報を取得し、当該取得した電子チケットに対応するイベントの希少性に関する情報に基づいて、当該電子チケットに対応するイベントの希少性が相対的に低い電子チケットの表示態様が、他の電子チケットと比較して相対的に識別性が低い表示態様で表示されるように制御する。相対的に識別性が低い表示態様とは、例えば、（１）表示サイズが相対的に小さく表示されることや、（２）表示方式（濃淡や輝度や明度など）が相対的にぼかして表示されることや、（３）表示形式（フォントなど）が相対的に目立たない表示形式で表示されることや、（４）表示順位が相対的に下位に表示されることなどである。希少性が相対的に低いとは、例えば、イベントが開催される回数が相対的に多いことであってもよいし、イベントが介される頻度が相対的に多いことであってもよいし、イベントが開催される残りの回数が相対的に多いことであってもよいし、イベントに関するチケットの発行数が相対的に多いことであってもよいし、イベントに関するチケットの残在庫数が相対的に多いことであってもよい。
【０２１１】
制御部４０５は、記憶部４０４に記憶されている各電子チケットに対応する履歴のうちユーザの関連する他のユーザの履歴に関する情報を取得し、当該取得した電子チケットに対応する履歴のうちユーザの関連する他のユーザの履歴に関する情報に基づいて、各電子チケットの表示態様がそれぞれ識別可能な表示態様で表示されるように制御する。電子チケットに対応する履歴に関する情報とは、例えば、（１）電子チケットの購入履歴であってもよく、（２）電子チケットのお気に入り登録（ブックマーク登録）履歴であってもよく、（３）電子チケットの閲覧履歴であってもよく、（４）電子チケットの検索履歴であってもよい。ユーザの関連する他のユーザとは、例えば、（１）ユーザが任意に設定したユーザであってもよく、（２）ユーザが過去に電子チケットに関する情報を交換したユーザであってもよく、（３）ユーザが過去に電子チケットを譲渡した又は譲渡されたユーザであってもよく、（４）ユーザが過去に電子チケットを分配した又は分配されたユーザであってもよい。
【０２１２】
制御部４０５は、記憶部４０４に記憶されている各電子チケットに対応する履歴のうちユーザの関連する他のユーザの購入履歴を取得し、当該取得した他のユーザの購入履歴に基づいて、当該電子チケットのうち他のユーザの購入履歴に含まれる電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。なお、電子チケットに関連付けて当該電子チケットが他のユーザの購入履歴に含まれることを示す情報を表示するように制御してもよい。
【０２１３】
制御部４０５は、記憶部４０４に記憶されている各電子チケットに対応する履歴のうちユーザの関連する他のユーザのお気に入り登録（ブックマーク登録）履歴を取得し、当該ユーザの関連する他のユーザのお気に入り登録（ブックマーク登録）履歴に基づいて、当該電子チケットのうち他のユーザのお気に入り登録（ブックマーク登録）履歴に含まれる電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。なお、電子チケットに関連付けて当該電子チケットが他のユーザのお気に入り登録（ブックマーク登録）履歴に含まれることを示す情報を表示するように制御してもよい。また、当該他のユーザに電子チケットの購入を促す旨のメッセージなどを送付可能に表示するように制御してもよい。
【０２１４】
制御部４０５は、記憶部４０４に記憶されている各電子チケットに対応する履歴のうちユーザの関連する他のユーザの閲覧履歴を取得し、当該ユーザの関連する他のユーザの閲覧履歴に基づいて、当該電子チケットのうち他のユーザの閲覧履歴に含まれる電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。なお、電子チケットに関連付けて当該電子チケットが他のユーザの閲覧履歴に含まれることを示す情報を表示するように制御してもよい。また、当該他のユーザに電子チケットの購入を促す旨のメッセージなどを送付可能に表示するように制御してもよい。
【０２１５】
制御部４０５は、記憶部４０４に記憶されている各電子チケットに対応する履歴のうちユーザの関連する他のユーザの検索履歴を取得し、当該ユーザの関連する他のユーザの検索履歴に基づいて、当該電子チケットのうち他のユーザの検索履歴に含まれる電子チケットの表示態様が、他の電子チケットと比較して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）表示順位が相対的に上位に表示されることなどである。なお、電子チケットに関連付けて当該電子チケットが他のユーザの検索履歴に含まれることを示す情報を表示するように制御してもよい。また、当該他のユーザに電子チケットの購入を促す旨のメッセージなどを送付可能に表示するように制御してもよい。
【０２１６】
図２５は、第２の実施形態におけるユーザ端末４００の動作例を示すフローチャートである。
【０２１７】
図２５に示すように、ユーザ端末４００の制御部４０５は、例えば二次電子チケット販売装置１００や一次電子チケット販売装置２００などから、電子チケットに関する情報を取得する（Ｓ１６０１）。
【０２１８】
制御部４０５は、取得した電子チケットに関する情報に基づいて、表示態様を変更するか否かを判定する（Ｓ１６０２）。
【０２１９】
制御部４０５は、当該表示態様を変更すると判定した場合には（Ｓ１６０２のＹＥＳ）、電子チケットの表示態様を変更する（Ｓ１６０３）。
【０２２０】
一方、制御部４０５は、当該表示態様を変更しないと判定した場合には（Ｓ１６０２のＮＯ）、例えば二次電子チケット販売装置１００や一次電子チケット販売装置２００などから、電子チケットに対応するイベントに関する情報を取得する（Ｓ１６０４）。
【０２２１】
その後、制御部４０５は、取得したイベントに関する情報に基づいて、表示態様を変更するタイミングが到来したか否かを判定する（Ｓ１６０５）。
【０２２２】
制御部４０５は、当該表示態様を変更すると判定した場合には（Ｓ１６０５のＹＥＳ）、電子チケットの表示態様を変更する（Ｓ１６０６）。一方、制御部４０５は、当該表示態様を変更しないと判定した場合には（Ｓ１６０５のＮＯ）、Ｓ１６０５に戻る。
【０２２３】
上記のとおり、本発明の第２の実施形態において、同一のユーザのユーザ端末４００ａに記憶されている複数の電子チケットについて相対的な関連性などに基づいて表示態様を変更するように制御するので、ユーザは、ユーザ端末４００ａに記憶されている複数の電子チケットについて、他の電子チケットとの相対的な関係性などを視覚的に区別して認識することが可能となる。
【０２２４】
（第３の実施形態）
本発明の第３の実施形態は、一次電子チケットに対して、当該一次電子チケットが譲渡された二次電子チケットの表示態様を変更制御する場合の実施形態である。
【０２２５】
第３の実施形態におけるユーザ端末４００の構成例は、図５に示す実施形態１のユーザ端末の構成例と同様であるため、詳細な説明は省略される。
【０２２６】
第３の実施形態におけるユーザ端末４００の制御部４０５は、当該ユーザ端末４００の記憶部４０４に記憶されている二次電子チケットについて、当該二次電子チケットに対応する一次電子チケットと識別可能な表示態様で表示されるように制御する。
【０２２７】
制御部４０５は、記憶部４０４に記憶されている二次電子チケットに関する情報と当該二次電子チケットに対応する一次電子チケットに関する情報を取得し、当該取得した二次電子チケットに関する情報と当該二次電子チケットに対応する一次電子チケットに関する情報に基づいて、当該二次電子チケットが一次電子チケットとは異なる表示態様で表示されるように制御する。
【０２２８】
制御部４０５は、記憶部４０４に記憶されている二次電子チケットの価格に関する情報と当該二次電子チケットに対応する一次電子チケットの価格に関する情報を取得し、当該取得した二次電子チケットの価格に関する情報と当該二次電子チケットに対応する一次電子チケットの価格に関する情報に基づいて、当該二次電子チケットの価格が一次電子チケットの価格に対して高いほど、当該二次電子チケットが一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）価格差を示す情報を明示的に表示することなどである。
【０２２９】
制御部４０５は、記憶部４０４に記憶されている二次電子チケットの譲渡回数を取得し、当該取得した二次電子チケットの譲渡回数が多いほど、一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）譲渡回数を示す情報を明示的に表示することなどである。
【０２３０】
制御部４０５は、記憶部４０４に記憶されている二次電子チケットが購入された時期に関する情報と当該二次電子チケットに対応する一次電子チケットが購入された時期に関する情報を取得し、当該取得した二次電子チケットが購入された時期に関する情報と当該二次電子チケットに対応する一次電子チケットが購入された時期に関する情報に基づいて、一次電子チケットが購入された時期から二次電子チケットが購入された時期までの経過期間が短いほど、当該二次電子チケットが一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）経過期間を示す情報を明示的に表示することなどである。
【０２３１】
制御部４０５は、記憶部４０４に記憶されている二次電子チケットを売却したユーザに関する情報を取得し、当該取得した二次電子チケットを売却したユーザに関する情報に基づいて、当該二次電子チケットが一次電子チケットとは異なる表示態様で表示されるように制御する。
【０２３２】
制御部４０５は、記憶部４０４に記憶されている二次電子チケットを売却したユーザの二次電子チケットの販売数を取得し、当該取得した二次電子チケットを売却したユーザの二次電子チケットの販売数が多いほど、一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）販売数を示す情報を明示的に表示することなどである。
【０２３３】
制御部４０５は、記憶部４０４に記憶されている二次電子チケットを売却したユーザの一次電子チケットの購入数と二次電子チケットを売却したユーザの二次電子チケットの販売数を取得し、当該取得した二次電子チケットを売却したユーザの一次電子チケットの購入数と二次電子チケットを売却したユーザの二次電子チケットの販売数の数量の差が多いほど、一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）購入数と販売数の差を示す情報を明示的に表示することなどである。
【０２３４】
制御部４０５は、記憶部４０４に記憶されている二次電子チケットを売却したユーザの一次電子チケットの購入数と二次電子チケットを売却したユーザの二次電子チケットの販売数を取得し、当該取得した二次電子チケットを売却したユーザの二次電子チケットの販売数に対する二次電子チケットを売却したユーザの一次電子チケットの購入数の割合が示す一次電子チケットの譲渡率（転売率）が高いほど、一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）一次電子チケットの譲渡率（転売率）を示す情報を明示的に表示することなどである。
【０２３５】
制御部４０５は、記憶部４０４に記憶されている二次電子チケットを購入したユーザに関する情報を取得し、当該取得した二次電子チケットを購入したユーザに関する情報に基づいて、当該二次電子チケットが一次電子チケットとは異なる表示態様で表示されるように制御する。
【０２３６】
制御部４０５は、記憶部４０４に記憶されている二次電子チケットを購入したユーザの一次電子チケットの購入数と二次電子チケットの購入数を取得し、当該取得した一次電子チケットの購入数と二次電子チケットの購入数の和である電子チケットの総購入数に対する二次電子チケットの購入数の割合が示す二次電子チケットの購入率が高いほど、一次電子チケットに対して相対的に識別性が高い表示態様で表示されるように制御する。相対的に識別性が高い表示態様とは、例えば、（１）表示サイズが相対的に大きく表示されることや、（２）表示方式（濃淡や輝度や明度など）が相対的に強調されて表示されることや、（３）表示形式（フォントなど）が相対的に目立つ表示形式で表示されることや、（４）二次電子チケットの購入率を示す情報を明示的に表示することなどである。
【０２３７】
このような構成により、本発明の第３の実施態様に係る電子チケット表示装置は、注目度の高い電子チケットや入手が困難な希少性の高い電子チケットや転売率の高いユーザが販売した電子チケットなど転売が目的であると推定される蓋然性が高い電子チケットを購入したユーザの二次電子チケットと他の一次電子チケットなどとの識別性を高くすることによって、専ら電子チケットの転売を行う業者などから購入されたと推定される電子チケットを区別することができ、転売を行う業者などから購入された不正電子チケットの利用を抑制することで、健全な電子チケットの流通に寄与することができる。
【０２３８】
（第４の実施形態）
本発明の第４の実施形態は、電子チケットの表示態様を変更するタイミングを制御する場合の実施形態である。
【０２３９】
第４の実施形態におけるユーザ端末４００の構成例は、図５に示す実施形態１のユーザ端末の構成例と同様であるため、詳細な説明は省略される。
【０２４０】
第４の実施形態におけるユーザ端末４００の制御部４０５は、当該ユーザ端末４００の記憶部４０４に記憶されている電子チケットの表示態様を変更するタイミングを制御する。
【０２４１】
制御部４０５は、記憶部４０４に記憶されている各電子チケットの価格に関する情報を取得し、当該取得した電子チケットの価格に関する情報に基づいて、当該電子チケットの価格が相対的に高い電子チケットほど、他の電子チケットと比較して相対的に早い時期に表示態様を変更されるように表示態様を変更するタイミングを制御する。
【０２４２】
制御部４０５は、記憶部４０４に記憶されている各電子チケットの価格に関する情報を取得し、当該取得した電子チケットの価格に関する情報に基づいて、当該電子チケットの価格が相対的に安い電子チケットほど、他の電子チケットと比較して相対的に遅い時期に表示態様を変更されるように表示態様を変更するタイミングを制御する。
【０２４３】
制御部４０５は、記憶部４０４に記憶されている各電子チケットの注目度に関する情報を取得し、当該取得した電子チケットの注目度に関する情報に基づいて、当該電子チケットの注目度が相対的に高い電子チケットほど、他の電子チケットと比較して相対的に早い時期に表示態様を変更されるように表示態様を変更するタイミングを制御する。
【０２４４】
制御部４０５は、記憶部４０４に記憶されている各電子チケットの注目度に関する情報を取得し、当該取得した電子チケットの注目度に関する情報に基づいて、当該電子チケットの注目度が相対的に低い電子チケットほど、他の電子チケットと比較して相対的に遅い時期に表示態様を変更されるように表示態様を変更するタイミングを制御する。
【０２４５】
制御部４０５は、記憶部４０４に記憶されている各電子チケットの希少性に関する情報を取得し、当該取得した電子チケットの希少性に関する情報に基づいて、当該電子チケットの希少性が相対的に高い電子チケットほど、他の電子チケットと比較して相対的に早い時期に表示態様を変更されるように表示態様を変更するタイミングを制御する。
【０２４６】
制御部４０５は、記憶部４０４に記憶されている各電子チケットの希少性に関する情報を取得し、当該取得した電子チケットの希少性に関する情報に基づいて、当該電子チケットの希少性が相対的に低い電子チケットほど、他の電子チケットと比較して相対的に遅い時期に表示態様を変更されるように表示態様を変更するタイミングを制御する。
【０２４７】
このような構成により、本発明の第４の実施態様に係る電子チケット表示装置は、相対的に価格の高い電子チケットや相対的に注目度が高い電子チケットや相対的に希少性が高い電子チケットなど、ユーザにとって相対的な価値が高いと推定される蓋然性が高い電子チケットの表示態様を変更するタイミングを他の電子チケットと比較して相対的に早くすることができ、電子チケットを保有するユーザにおける相対的に価値の高い電子チケットの注目度を高めることができる。  
【０２４８】
上記実施態様において、ユーザ端末４００に記憶された電子チケットに関する情報に基づいて当該電子チケットの表示態様を制御する構成について記載されているが、本発明の範囲はこれに限定されるものではない。例えば、電子チケットに関する情報の全部又は一部を、一次電子チケット販売装置２００や二次電子チケット販売装置１００や電子チケット管理装置（図示せず）などの外部の装置に記憶し、ユーザ端末４００からの要求に応じて、当該外部の装置において電子チケットの表示態様を決定してユーザ端末４００に通知し、ユーザ端末４００において取得した情報に応じた表示態様で電子チケットが表示されるように制御するように構成してもよいし、電子チケットに関する情報の全部又は一部を、一次電子チケット販売装置２００や二次電子チケット販売装置１００や電子チケット管理装置（図示せず）などの外部の装置に記憶し、外部装置において電子チケットの表示態様を決定して表示態様に関する情報を（例えば、Push式で）通知することによって、ユーザ端末４００において通知された情報に応じた表示態様で電子チケットが表示されるように制御するように構成してもよい。
【０２４９】
（１７）上記実施の形態において、電子チケット表示装置たるユーザ端末４００の各部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）およびメモリを用いてソフトウェアによって実現してもよい。また、各機能部は、１または複数の集積回路により実現されてよく、複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。また、当該回路は、再構築可能な回路（例えば、ＦＰＧＡ：Field Programmable Gate Away）により実現されてもよい。ユーザ端末４００を回路により構成する場合、例えば、図２０に示すように、通信回路４０１ａ、入力受付部４０２ａと、表示部４０３ａと、記憶回路４０４ａ、制御回路４０５ａとから構成されてよく、各回路は、上記実施の形態に示した各機能部と同様の機能を実現する。
【０２５０】
電子チケット表示装置たるユーザ端末４００の各機能部をソフトウェアにより実現する場合、ユーザ端末４００は、各機能を実現するソフトウェアである二次電子チケット表示プログラムの命令を実行するＣＰＵ、上記二次電子チケット表示プログラムおよび各種データがコンピュータ（またはＣＰＵ）で読み取り可能に記録されたＲＯＭ（Read Only Memory）または記憶装置（これらを「記録媒体」と称する）、上記二次電子チケット表示プログラムを展開するＲＡＭ（Random Access Memory）などを備えている。そして、コンピュータ（またはＣＰＵ）が上記二次電子チケット表示プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記二次電子チケット表示プログラムは、当該二次電子チケット表示プログラムを伝送可能な任意の伝送媒体（通信ネットワークや放送波等）を介して上記コンピュータに供給されてもよい。本発明は、上記二次電子チケット表示プログラムが電子的な伝送によって具現化された、搬送波に埋め込まれたデータ信号の形態でも実現され得る。
【０２５１】
なお、上記二次電子チケット表示プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【０２５２】
（１８）本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【０２５３】
（１９）上記実施の形態に示した構成並びに参考例に示した構成は適宜組み合わせることとしてもよい。
【産業上の利用可能性】
【０２５４】
本発明に係る二次電子チケット販売システムは、電子チケットの二次流通市場を形成し、電子チケットの流通の活性化に貢献することができる。
【符号の説明】
【０２５５】
１００  二次電子チケット販売装置
１０１  通信部
１０２  記憶部
１０３  制御部
２００  一次電子チケット販売装置
２０１  通信部
２０２  記憶部
２０３  制御部
３００  認証装置
３０１  通信部
３０２  記憶部
３０３  報知部
３０４  制御部
４００、４００ａ、４００ｂ  ユーザ端末
４０１  通信部
４０２  入力受付部
４０３  表示部
４０４  記憶部
４０５  制御部
５００  ネットワーク
【図１】
2018026077.tif 000003
【図２】
2018026077.tif 000004
【図３】
2018026077.tif 000005
【図４】
2018026077.tif 000006
【図５】
2018026077.tif 000007
【図６】
2018026077.tif 000008
【図７】
2018026077.tif 000009
【図８】
2018026077.tif 000010
【図９】
2018026077.tif 000011
【図１０】
2018026077.tif 000012
【図１１】
2018026077.tif 000013
【図１２】
2018026077.tif 000014
【図１３】
2018026077.tif 000015
【図１４】
2018026077.tif 000016
【図１５】
2018026077.tif 000017
【図１６】
2018026077.tif 000018
【図１７】
2018026077.tif 000019
【図１８】
2018026077.tif 000020
【図１９】
2018026077.tif 000021
【図２０】
2018026077.tif 000022
【図２１】
2018026077.tif 000023
【図２２】
2018026077.tif 000024
【図２３】
2018026077.tif 000025
【図２４】
2018026077.tif 000026
【図２５】
2018026077.tif 000027